(57)【要約】【課題】特に医療機関にて月次大量に発生するレセプト等の帳票処理に有効な帳票分類処理システムを提供し、また帳票納入先への便宜やサービス向上が図られる納入方法を提供する。【解決手段】レセプトを読み取って得られる読取画像データから正常形状の帳票を判定し、正常な帳票の読取画像データの濃度補正を行い、補正された視認性の優れた読取画像データから保険者番号、請求額の妥当性を確認するための読取データ、部分画像データ、全面画像データをそれぞれ取得して、帳票を該当ポケットに仕分け収納して分類化すると共に、保険者別に帳票の請求額を合計した請求点合算データ、取得した読取データ、部分画像データ、全面画像データをそれぞれ電子媒体に書き込んで電子媒体レセプトを作成する。【選択図】図１
2007264833.tif 000002
【特許請求の範囲】
【請求項１】
受け付けた帳票の記載内容を読み取って納入先別のポケット機構に分類すると共に、前記分類された帳票毎に、それぞれ読み取られた記載内容データを納入先別に保持する帳票分類処理システムにおいて、
帳票を読み取って得られる背景を含む読取画像データを構成する各画素の濃度変化量に基づいて、前記帳票の外形を検出し、該背景と帳票との境界を示す境界座標データ及び該帳票の角を示す帳票角座標データをそれぞれ取得する帳票外形検出部と、
前記取得された境界座標データに基づいて特定される各帳票辺の平行度、角度及び前記取得される帳票角座標データの数に基づいて、帳票形状が正常か否かを判定する形状判定部と、
前記形状判定部が帳票形状を正常と判定すると、読取画像データから、予め登録された帳票上の各項目の領域位置を示す領域データに基づいて、前記帳票の記載内容の審査に必要な部分画像データを作成する部分画像作成部と、
前記部分画像データが作成されると、前記読取画像データから、前記領域データに基づいて、前記審査に必要な帳票上の全項目を含む全面画像データを作成する全面画像作成部と、
少なくとも、前記記載内容データ、前記作成された部分画像データ及び全面画像データを納入先別に書き込んだ電子媒体を作成する電子媒体作成部とを備えることを特徴とする帳票分類処理システム。
【請求項２】
前記形状判定部が帳票形状を正常と判定すると、前記読取画像データの濃度毎の画素数を示す濃度ヒストグラムデータを生成する濃度分布測定部と、
前記生成された濃度ヒストグラムデータに基づいて、前記読取画像データの濃度分散比を示す濃度分散比データを算出すると共に、該算出された濃度分散比データが予め登録された基準濃度分散比データより大きいと、利用可能な有効濃度の帳票と判定する濃度判定部と、
有効濃度の帳票と判定されると、前記読取画像データの視認性を向上すべく、濃度補正を実行する画像補正部とをさらに備え、
前記部分画像作成部は、前記濃度補正された読取画像データから部分画像データを作成することを特徴とする請求項１記載の帳票分類処理システム。
【請求項３】
前記帳票はレセプトであり、前記納入先は保険者であり、
前記記載内容は、レセプトに記載されている請求点数であり、さらに、前記請求点数を合計した請求点合計データを保険者別に保持し、
前記電子媒体作成部は、請求点合計データをともに電子媒体に書き込むことを特徴とする請求項１記載の帳票分類処理システム。
【請求項４】
形状異常の帳票が収容される形状異常ポケット機構と、
濃度異常の帳票が収容される濃度異常ポケット機構と、
前記形状判定部が帳票形状を異常と判定すると、該帳票を前記形状異常ポケット機構に排出し、前記濃度判定部が帳票濃度を異常と判定すると、該帳票を前記濃度異常ポケット機構に排出するポケット制御部とを備えることを特徴とする請求項２記載の帳票分類処理システム。
【請求項５】
前記形状判定部が帳票形状を異常と判定すると、前記帳票に対し、形状異常を示す画像判定結果データに基づく印字処理を実行し、前記濃度判定部が帳票濃度を異常と判定すると、前記帳票に対し、濃度異常を示す画像判定結果データに基づく印字処理を実行するナンバリング機構を備えることを特徴とする請求項２記載の帳票分類処理システム。
【請求項６】
前記部分画像作成部は、前記読取画像データから、予め登録された拡張値データが示す拡張範囲を含む帳票の審査に必要な所定項目を抽出した部分画像データを作成すると共に、該拡張範囲に対して、該拡張範囲を明示化すべく画像処理を行うことを特徴とする請求項１乃至２のいずれかに記載の帳票分類処理システム。
【請求項７】
前記全面画像作成部は、前記取得される境界座標データ及び帳票角座標データに基づいて、前記背景を除去した帳票の全面画像データを作成することを特徴とする請求項１記載の帳票分類処理システム。
【請求項８】
単帳票及び続紙からなる横長帳票を読み取って得られる背景を含む読取画像データを構成する各画素の濃度変化量に基づいて、前記横長帳票の外形を検出し、該背景と帳票との境界を示す境界座標データ、該帳票の角を示す帳票角座標データ及び単帳票と続紙間の境界を示すページ分割座標データをそれぞれ取得する境界検出部を含み、
前記全面画像作成部は、前記横長帳票の読取画像データから、取得された境界座標データ、帳票角座標データ、ページ分割座標データに基づいて抽出した単帳票及び続紙の全面画像データをそれぞれ作成することを特徴とする請求項１及び７のいずれかに記載の帳票分類処理システム。
【請求項９】
前記全面画像作成部は、前記横長帳票の読取画像データから、単帳票及び続紙の拡張すべき横幅の長さを示す予め登録された横幅拡張値データ、前記取得される境界座標データ、帳票角座標データ及びページ分割座標データに基づいて横幅を拡張して抽出した単帳票及び続紙の全面画像データをそれぞれ作成し、
前記作成される単帳票及び続紙の各全面画像データに含まれる背景を白画素に変換処理すると共に、横幅が拡張された範囲に対し、該範囲を明示化すべく画像処理を行う背景編集部とを備えることを特徴とする請求項８記載の帳票分類処理システム。
【請求項１０】
単帳票及び続紙の各全面画像データが作成されると、各全面画像データを合成して、ページ毎に参照可能な１ファイルの全面画像データを作成するマルチ頁変換部を備えることを特徴とする請求項８記載の帳票分類処理システム。
【請求項１１】
受け付けたレセプトの記載内容を読み取って納入先となる保険者別のポケット機構に分類すると共に、前記分類されたレセプト毎に、それぞれ記載内容データを保険者別に保持するレセプト分類処理システムにおいて、
レセプト及び続紙からなる横長帳票を読み取って得られる背景を含む読取画像データを構成する各画素の濃度変化量に基づいて、前記横長帳票の外形を検出し、レセプトとの境界を示す境界座標データを求め、前記外形の縦方向の幅変化に基づきレセプトと続紙間の境界を示す境界座標データを求めてページ分割座標データとし、続紙部分の白画素の連続部分を検出することにより続紙同士の境界座標データを求めて続紙ページ分割座標データとし、前記境界座標データ、前記ページ分割座標データ、前記続紙ページ分割座標データに基づいて抽出したレセプト及び続紙の全面画像データをそれぞれ作成し、前記記載内容データ、前記作成されたレセプト及び続紙の全面画像データを前記保険者別に書き込んだ電子媒体を作成する電子媒体作成部を備えることを特徴とする帳票分類処理システム。
【発明の詳細な説明】
【技術分野】
【０００１】
本発明は、帳票分類処理システムに関し、また電子媒体レセプトの作成方法および納入方法に関する。
【背景技術】
【０００２】
商品やサービスを提供する営業事業体において、月次発行される売上伝票や請求伝票等の帳票分類処理を行う帳票分類処理システムが知られている。例えば、下記特許文献１では、伝票等の帳票を受け入れて、そこに記載された文字を読み取り、帳票の納入先用のポケットに分類して仕分け収納すると共に、帳票に記載された請求金額の集計処理を実行する帳票分類処理システムが開示されている。
【０００３】
ところで、病院や診療所等の医療機関では、上記した帳票分類処理システムを適用して、月次発行される治療患者の診療報酬としての請求金額（請求点）等が記載されたレセプトを受け入れ、そこに記載された文字を読み取り、各レセプトを所定の健康保険組合等（以下、保険者）へ発送すべく、各レセプトを保険者用のポケットにそれぞれ分類して仕分け収納すると共に、収納された各納入先のレセプトに記載された請求金額（請求点）の集計処理を実行し、各地の保険者へ発送している。
【０００４】
図３及び図４は、上述したような従来の帳票分類処理システムを示すブロック構成図及び従来の分類化レセプト納入方法を示す模式図である。
【０００５】
図３に示すように、従来の帳票分類処理システムは、光学的読取装置（Ｏｐｔｉｃａｌ  Ｃｈａｒａｃｔｅｒ  Ｒｅａｄｅｒ）を主体とする帳票読取分類部１、システム制御部２、修正端末３及びプリンタ４を有している。
【０００６】
システム制御部２では、システム全体の制御を行い、まず、帳票読取分類部１に対してレセプト４０の読取分類を指示する。該指示を受けた帳票読取分類部１は、帳票としてのレセプト４０の記載内容を撮像機構で読み取り、読取データを生成するとともに、各レセプトを納入先となる保険者Ａ、Ｂ、Ｃ・・・別に分類する（図４参照）。また、帳票読取分類部１は、読取時に不読が発生したレセプト上の項目を修正するための画像データを生成する。引き続き、システム制御部２は、帳票読取分類部１で読み取られたレセプト４０の読取データ及び画像データをメモリに保持する。修正端末３は、読取データ及び画像データがメモリに保持されると、読取データ及び画像データに基づいた修正画面を表示部に表示し、オペレータ等が修正画面を目視確認しながら、必要に応じて読取データを修正する。引き続き、システム制御部２は、修正確認された読取データを参照し、納入先Ａ、Ｂ、Ｃ・・・別に分類された各レセプトに記載されている請求点の集計額を示す請求合算データを保険者毎に生成し、プリンタ４は、生成された請求合算データに基づく印刷処理を実行する。
【０００７】
こうして、図４に示すように、分類前のレセプト４０は複数の保険者Ａ、Ｂ、Ｃ・・・ごとに仕分けされ、請求点を合計する合算計算が行われ、保険者Ａに対してはレセプト４１と請求点合算データ４２が提供され、保険者Ｂに対してはレセプト４３と請求点合算データ４４が提供され、保険者Ｃに対してはレセプト４５と請求点合算データ４６が提供されるといったレセプト納入サービスが実行される。
【特許文献１】特開平８−２７２８８４号公報
【発明の開示】
【発明が解決しようとする課題】
【０００８】
しかしながら、上記した帳票分類処理システムでは、次のような解決すべき課題があった。即ち、分類されたレセプト４１、４３、４５は健康保険組合等の保険者Ａ、Ｂ、Ｃ・・・別に仕分けして納入されるが、納入先では事業規模によって、納入された大量のレセプト４１、４３、４５の保管スペースを確保するための経費等の管理コストが嵩むという問題があった。また、請求点として記載された請求額が妥当かどうか請求内容を審査する必要があるが、そうした審査には熟練を要するため、専門の審査機関に委託すると、大量のレセプトを運送するためのコストが生じる問題があった。また、上記審査機関においても、持ち込まれた大量のレセプトを過去のレセプトと対照させて審査する際、双方のレセプトについて紙上での比較は非常に困難である問題があった。
【０００９】
そこで、上記の問題を解決するためには、受け付けたレセプトから、審査に必要な画像データを取得すると共に、取得した画像データを読取データ、請求点合算データと共に記録した電子媒体レセプトを作成し、該作成された電子媒体レセプトを各保険者へ発送することが考えられる。
【００１０】
しかしながら、上記したように、単に受け付けたレセプトから、審査に必要な画像データを取得する制御のみでは、例えば、受け付けたレセプトに紙折れ、重走等が生じた場合、画像の一部が欠けた視認性の悪い画像データが取得され、該視認性の悪い画像データを記録した電子媒体レセプトが作成される虞があった。
【００１１】
また、受け付けたレセプトが蛇行していた場合、画像の歪んだ視認性の悪い画像データが取得され、該視認性の悪い画像データが記録された電子媒体レセプトが作成される虞があった。また、受け付けたレセプトに記載された文字、図表等の濃度が薄いために、色彩や形状がぼんやりとした視覚性の悪い画像データが取得され、該視認性の悪い画像データが記録された電子媒体レセプトが作成される虞があった。
【００１２】
また、レセプトの背景色の濃度が濃いために、画像にノイズを含んだ視認性の悪い画像データが取得され、該視認性の悪い画像データを記録した電子媒体レセプトが作成される虞があった。また、レセプトに押印されたスタンプ等のにじみが生じることで、レセプトに記載された文字がつぶれた視認性の悪い画像データが取得され、該視認性の悪い画像データを記録した電子媒体レセプトが作成される虞があった。
【００１３】
また、複数枚を重ねて綴じたレセプトを撮像した場合に下のレセプトの画像が映り込んだ視認性の悪い画像データが取得され、該視認性の悪い画像データを記録した電子媒体レセプトが作成される虞があった。
【００１４】
さらに、レセプトの審査に必要な所定の画像領域を抽出した部分画像データを取得する場合に、画像領域から外れて文字等が記載されていることから、記載された文字が識別困難な視認性の悪い画像データが取得され、該視認性の悪い画像データを記録した電子媒体レセプトが作成される虞があった。
【００１５】
このように、レセプトの画像の取得状態によっては、上述したように視認性の悪い画像データが取得されてしまう。また、かかる視認性の悪い画像データでは光学的読取装置による文字認識の精度が下がってしまい、分類に失敗するおそれもある。
【００１６】
また、従来では、レセプト以外の不要な背景等の領域を含む視認性の悪い画像データが取得されることから、該視認性の悪い画像データを記録した電子媒体レセプトが作成される虞があった。さらに、続紙等が付与されたことによりレセプトの形状が横長である場合、審査時に全体を画面表示できないような視認性の悪い画像データが取得され、該視認性の悪い画像データが記録された電子媒体レセプトが作成される虞があった。
【課題を解決するための手段】
【００１７】
本発明は、以上の点を解決するために、次の構成を採用する。
〈構成１〉
受け付けた帳票の記載内容を読み取って納入先別のポケット機構に分類すると共に、前記分類された帳票毎に、それぞれ読み取られた記載内容データを納入先別に保持する帳票分類処理システムにおいて、帳票を読み取って得られる背景を含む読取画像データを構成する各画素の濃度変化量に基づいて、前記帳票の外形を検出し、該背景と帳票との境界を示す境界座標データ及び該帳票の角を示す帳票角座標データをそれぞれ取得する帳票外形検出部と、前記取得された境界座標データに基づいて特定される各帳票辺の平行度、角度及び前記取得される帳票角座標データの数に基づいて、帳票形状が正常か否かを判定する形状判定部と、前記形状判定部が帳票形状を正常と判定すると、読取画像データから、予め登録された帳票上の各項目の領域位置を示す領域データに基づいて、前記帳票の記載内容の審査に必要な部分画像データを作成する部分画像作成部と、前記部分画像データが作成されると、前記読取画像データから、前記領域データに基づいて、前記審査に必要な帳票上の全項目を含む全面画像データを作成する全面画像作成部と、少なくとも、前記記載内容データ、前記作成された部分画像データ及び全面画像データを納入先別に書き込んだ電子媒体を作成する電子媒体作成部とを備えることを特徴とする。
〈構成２〉
構成１の帳票分類処理システムにおいて、前記形状判定部が帳票形状を正常と判定すると、前記読取画像データの濃度毎の画素数を示す濃度ヒストグラムデータを生成する濃度分布測定部と、前記生成された濃度ヒストグラムデータに基づいて、前記読取画像データの濃度分散比を示す濃度分散比データを算出すると共に、該算出された濃度分散比データが予め登録された基準濃度分散比データより大きいと、利用可能な有効濃度の帳票と判定する濃度判定部と、有効濃度の帳票と判定されると、前記読取画像データの視認性を向上すべく、濃度補正を実行する画像補正部とをさらに備え、前記部分画像作成部は、前記濃度補正された読取画像データから部分画像データを作成することを特徴とする。
〈構成３〉
構成１の帳票分類処理システムにおいて、前記帳票はレセプトであり、前記納入先は保険者であり、前記記載内容は、レセプトに記載されている請求点数であり、さらに、前記請求点数を合計した請求点合計データを保険者別に保持し、前記電子媒体作成部は、請求点合計データをともに電子媒体に書き込むことを特徴とする。
〈構成４〉
構成２の帳票分類処理システムにおいて、形状異常の帳票が収容される形状異常ポケット機構と、濃度異常の帳票が収容される濃度異常ポケット機構と、前記形状判定部が帳票形状を異常と判定すると、該帳票を前記形状異常ポケット機構に排出し、前記濃度判定部が帳票濃度を異常と判定すると、該帳票を前記濃度異常ポケット機構に排出するポケット制御部とを備えることを特徴とする。
〈構成５〉
構成２の帳票分類処理システムにおいて、前記形状判定部が帳票形状を異常と判定すると、前記帳票に対し、形状異常を示す画像判定結果データに基づく印字処理を実行し、前記濃度判定部が帳票濃度を異常と判定すると、前記帳票に対し、濃度異常を示す画像判定結果データに基づく印字処理を実行するナンバリング機構を備えることを特徴とする。
〈構成６〉
構成１乃至２のいずれかの帳票分類処理システムにおいて、前記部分画像作成部は、前記読取画像データから、予め登録された拡張値データが示す拡張範囲を含む帳票の審査に必要な所定項目を抽出した部分画像データを作成すると共に、該拡張範囲に対して、該拡張範囲を明示化すべく画像処理を行うことを特徴とする。
〈構成７〉
構成１の帳票分類処理システムにおいて、前記全面画像作成部は、前記取得される境界座標データ及び帳票角座標データに基づいて、前記背景を除去した帳票の全面画像データを作成することを特徴とする。
〈構成８〉
構成１及び７のいずれかの帳票分類処理システムにおいて、単帳票及び続紙からなる横長帳票を読み取って得られる背景を含む読取画像データを構成する各画素の濃度変化量に基づいて、前記横長帳票の外形を検出し、該背景と帳票との境界を示す境界座標データ、該帳票の角を示す帳票角座標データ及び単帳票と続紙間の境界を示すページ分割座標データをそれぞれ取得する境界検出部を含み、前記全面画像作成部は、前記横長帳票の読取画像データから、取得された境界座標データ、帳票角座標データ、ページ分割座標データに基づいて抽出した単帳票及び続紙の全面画像データをそれぞれ作成することを特徴とする。
〈構成９〉
構成８の帳票分類処理システムにおいて、前記全面画像作成部は、前記横長帳票の読取画像データから、単帳票及び続紙の拡張すべき横幅の長さを示す予め登録された横幅拡張値データ、前記取得される境界座標データ、帳票角座標データ及びページ分割座標データに基づいて横幅を拡張して抽出した単帳票及び続紙の全面画像データをそれぞれ作成し、前記作成される単帳票及び続紙の各全面画像データに含まれる背景を白画素に変換処理すると共に、横幅が拡張された範囲に対し、該範囲を明示化すべく画像処理を行う背景編集部とを備えることを特徴とする。
〈構成１０〉
構成８の帳票分類処理システムにおいて、単帳票及び続紙の各全面画像データが作成されると、各全面画像データを合成して、ページ毎に参照可能な１ファイルの全面画像データを作成するマルチ頁変換部を備えることを特徴とする。
〈構成１１〉
受け付けたレセプトの記載内容を読み取って納入先となる保険者別のポケット機構に分類すると共に、前記分類されたレセプト毎に、それぞれ読み取られた記載内容データを保険者別に保持するレセプト分類処理システムにおいて、レセプト及び続紙からなる横長帳票を読み取って得られる背景を含む読取画像データを構成する各画素の濃度変化量に基づいて、前記横長帳票の外形を検出し、レセプトとの境界を示す境界座標データを求め、前記外形の縦方向の幅変化に基づきレセプトと続紙間の境界を示す境界座標データを求めてページ分割座標データとし、続紙部分の白画素の連続部分を検出することにより続紙同士の境界座標データを求めて続紙ページ分割座標データとし、前記境界座標データ、前記ページ分割座標データ、前記続紙ページ分割座標データに基づいて抽出したレセプト及び続紙の全面画像データをそれぞれ作成し、前記記載内容データ、前記作成されたレセプト及び続紙の全面画像データを前記保険者別に書き込んだ電子媒体を作成する電子媒体作成部を備えることを特徴とする。
【発明の効果】
【００１８】
本発明の帳票分類処理システムでは、帳票の具体例として、医療機関が健康保険組合等の保険者に対して請求発行する診療報酬明細書のレセプトに好適であり、月次大量に発生するレセプト処理業務において医療機関および納入先の双方にとって遅滞のない迅速な処理が可能になる。
【００１９】
また、読取画像データの濃度変化量に基づいて、レセプトが正常形状か否かを判定すると共に、正常形状のレセプトの読取画像データを視認性を向上すべく、濃度補正し、該補正された読取画像データから部分画像データ、全面画像データを抽出するようにしたので、視認性の優れた部分画像データ、全面画像データを含む電子媒体レセプトを作成することができる。
【００２０】
さらに、レセプトから取得される読取画像データの形状異常、濃度異常を検知した場合に、ポケット機構により、形状異常、濃度異常別のポケットに仕分け収納されることから、オペレータは、仕分けされたレセプトが紙折れ等の状態ではないか確認することができ、レセプトの状態を直した後に再度上記した帳票分類処理を実行させるか、又はレセプトの入手元へ返戻するか等の対処が可能となる。
【００２１】
また、読取画像データから、予め登録された拡張値データが示す拡張範囲を含むレセプトの審査に必要な所定項目を抽出した部分画像データを取得すると共に、該拡張範囲に対し、該拡張範囲を認識可能にすべく画像処理を行うようにしたので、項目から外れて文字等が記載されていることから、記載された文字等が識別困難な視認性の悪い部分画像データが取得され、該視認性の悪い部分画像データを記録した電子媒体レセプトが作成されるのを防止できる。
【００２２】
さらに、各境界座標データに基づいて区分される読取画像データの領域のうち、背景等の不要な外側領域を除去した全面画像データを作成するようにしたので、視認性の悪い全面画像データが取得され、該視認性の悪い全面画像データを記録した電子媒体レセプトが作成されるのを防止できる。また、印刷時には、背景等の不要な外側領域を除去した全面画像データに基づく印刷処理を実行できるので、背景等の不要な外側領域を含むことで不要なトナーが消費されるのを防止できる。
【００２３】
さらに、単帳票に続紙等が付与されたことによりレセプトの形状が横長である場合、横長帳票の読取画像データから、レセプトと各続紙との境界をそれぞれ検出すると共に、検出された境界に基づいて横長の読取画像データを区分してレセプト及び各続紙それぞれの全面画像データを作成するようにしたので、審査時の全面画像の視認性を向上させることができる。
【００２４】
また、各全面画像データの背景等の不要な領域を白画素に変換処理すると共に、横幅が拡張された範囲に対し、該範囲を明示化すべく画像処理を行うようにしたので、各全面画像データ間の境界を容易に識別することができ、また、印刷時には、背景等の不要な外側領域を除去した全面画像データに基づく印刷処理を実行できるので、背景等の不要な外側領域を含むことで不要なトナーが消費されるのを防止できる。
【００２５】
さらに、作成された各全面画像データを合成して、ページ毎に参照可能な１ファイルの全面画像データを作成するようにしたので、１ファイルにて各全面画像データが管理でき、データ管理における利便性を向上できる。
【発明を実施するための最良の形態】
【００２６】
以下、本発明の一実施形態を図を用いて詳細に説明する。
【実施例１】
【００２７】
〈実施例１の構成〉
図１は、本発明の帳票分類処理システムを示すブロック構成図である。また、図２は、実施例１の分類化レセプト納入方法を示す模式図である。
【００２８】
図１に示すように、実施例１の帳票分類処理システムは、帳票読取分類部１ｂ、システム制御部２ｂ、修正端末３、プリンタ４、電子媒体作成部５を有している。
【００２９】
図５は、実施例１の帳票読取分類部１ｂを示すブロック構成図である。図５に示すように、帳票読取分類部１ｂは、分類前の帳票（＝レセプト４０）の記載内容を１枚ずつ読み取り、保険者Ａ、Ｂ、Ｃ・・・別に分類等する部であり、制御ユニット１０、ポケット制御部１１、ポケット機構１２、ナンバリング制御部１３、ナンバリング機構１４、搬送制御部１５、搬送機構１６、撮像制御部１７、撮像機構１８、ページ番号記憶部１９、認識部２０、設定テーブル２１を有している。
【００３０】
ページ番号記憶部１９は、ＨＤＤ等からなるメモリであり、読み取られた帳票のページ番号を示すページ番号データが保持される。
【００３１】
認識部２０は、受け付けた帳票を読み取ると共に、該帳票の画像データを生成する部であり、図６に示すように、帳票外形検出部４０１、形状判定部４０２、濃度分布測定部４０３、濃度判定部４０４、濃度補正部４０５、補正画像記憶部４０６、読取部４０７、部分画像作成部４０８、全面画像作成部４０９から構成されている。
【００３２】
補正画像記憶部４０６は、ＨＤＤ等のメモリであり、後述するように、補正された読取画像データが保持される。
【００３３】
システム制御部２ｂは、システム全体の制御を行う部であり、業務ＡＰ部５０を有している。この業務ＡＰ部５０は、図７に示すように、業務設定テーブル５１、プログラム部５２、読取結果記憶部５３、部分画像記憶部５４、全面画像記憶部５５、合計額記憶部５６、電子媒体イメージ記憶部５７、プリンタチャネル７０、電子媒体チャネル７１から構成されている。
【００３４】
業務設定テーブル５１は、帳票の読み取り等を制御するために参照されるテーブルであり、図８に示すように、ポケット設定テーブル８０、読取設定テーブル８１、部分画像設定テーブル８２、全面画像設定テーブル８３、サービス設定テーブル８４、無効帳票ポケット設定テーブル８５から構成されている。
【００３５】
ポケット設定テーブル８０は、帳票納入先となる保険者用のポケットを識別するためのテーブルであり、保険者名及び保険者番号からなる保険者識別データ毎に、ポケット番号を示すポケット番号データが対応づけられたテーブルである。本実施例では、図９に示すように、保険者識別データ（＝保険者Ａ、保険者番号００１）に対してポケット番号「１」を示すポケット番号データ、保険者識別データ（＝保険者Ｂ、保険者番号００２）に対してポケット番号「２」を示すポケット番号データ、保険者識別データ（＝保険者Ｃ、保険者番号００３）に対してポケット番号「３」を示すポケット番号データ、保険者識別データ（＝その他、上記以外）に対してポケット番号「９９」を示すポケット番号データがそれぞれ対応づけられていることとする。
【００３６】
読取設定テーブル８１は、保険者毎に読み取るべき帳票上の項目を識別するためのテーブルであり、保険者名及び保険者番号からなる保険者識別データ毎に、請求点、一部負担金、記号番号、診療実日数、診療開始日、傷病名等の各項目のうち、読み取りが必要な項目を「○」で示す読取要否データが対応づけられている。本実施例では、図１０に示すように、保険者識別データ（＝保険者Ａ、保険者番号００１）に対して請求点のみを読み取りが必要な項目とする読取要否データ、保険者識別データ（＝保険者Ｂ、保険者番号００２）に対して全ての項目を読み取りが必要な項目とする読取要否データ、保険者識別データ（＝保険者Ｃ、保険者番号００３）に対して全ての項目を読み取りが必要な項目とする読取要否データがそれぞれ対応づけられていることとする。
【００３７】
部分画像設定テーブル８２は、保険者毎に部分画像として取得すべき帳票上の項目を識別するためのテーブルであり、保険者名及び保険者番号からなる保険者識別データ毎に、請求点、一部負担金、記号番号、診療実日数、診療開始日、傷病名等の各項目のうち、取得が必要な項目を「○」で示す部分取得要否データが対応づけられている。本実施例では、図１１に示すように、保険者識別データ（＝保険者Ａ、保険者番号００１）に対して請求点のみを取得が必要な項目とする部分取得要否データ、保険者識別データ（＝保険者Ｂ、保険者番号００２）に対して全ての項目を取得が必要な項目とする部分取得要否データ、保険者識別データ（＝保険者Ｃ、保険者番号００３）に対して全ての項目を取得が必要な項目とする部分取得要否データがそれぞれ対応づけられていることとする。
【００３８】
全面画像設定テーブル８３は、保険者毎に、帳票の全面画像を取得すべきか否かを判定するためのテーブルであり、保険者名及び保険者番号からなる保険者識別データ毎に、帳票の全面画像を取得すべき保険者を「○」で示す全面取得要否データが対応づけられたテーブルであり、本実施例では、図１２に示すように、保険者識別データ（＝保険者Ｂ、保険者番号００２）及び保険者識別データ（＝保険者Ｃ、保険者番号００３）に対して、帳票の全面画像を取得するように「○」で示す全面取得要否データが対応づけられていることとする。
【００３９】
サービス設定テーブル８４は、保険者毎に、提供すべきサービス方式を識別するためのテーブルであり、保険者名を示す保険者識別データ毎に、帳票、リストデータ、電子媒体のうち、提供すべき対象を「○」で示すサービス方式データが対応づけられている。本実施例では、図１３に示すように、保険者識別データ（＝保険者Ａ）に対して帳票及びリストデータを提供対象とするサービス方式データ、保険者識別データ（＝保険者Ｂ）に対して電子媒体のみを提供対象とするサービス方式データ、保険者識別データ（＝保険者Ｃ）に対して帳票、リストデータ、電子媒体の全てを提供対象とするサービス方式データがそれぞれ対応づけられていることとする。
【００４０】
無効帳票ポケット設定テーブル８５は、無効帳票と判定された帳票納入先となるポケットを識別するためのテーブルであり、形状異常及び濃度異常のいずれかを示す画像判定結果データ毎に、ポケット番号を示すポケット番号データが対応づけられたテーブルである。本実施例では、図１４に示すように、「形状異常」を示す画像判定結果データにポケット番号「９１」を示すポケット番号データが対応づけられ、「濃度異常」を示す画像判定結果データにポケット番号「９２」を示すポケット番号データが対応づけられていることとする。
【００４１】
修正端末３は、従来技術と同様に、オペレータが帳票読取分類部１ｂにより読み取られた読取データ及び読取失敗時に生成される修正画像データに基づいて、図示しない表示部に表示される修正画面を参照し、読取結果と修正画像を目視確認しながら読取データを修正するための端末である。
【００４２】
プリンタ４は、後述するように、システム制御部２ｂにより生成される請求点合算、読取リスト、部分画像リストをそれぞれ示す印刷データに基づく印刷処理を実行する印刷装置である。
【００４３】
電子媒体作成部５は、後述するように、システム制御部２ｂにより生成される読取リストデータ、部分画像リストデータ、全面画像リストデータを、例えば、ＣＤ−ＲＯＭ等の電子媒体に書き込んで、電子媒体レセプトを作成する部である。
【００４４】
以下、本実施例の帳票分類処理システムの帳票読取分類部１ｂ、システム制御部２ｂ、修正端末３、プリンタ４、電子媒体作成部５の相互関連について説明する。
【００４５】
例えば、レセプト４０の束が搬送機構１６上に配置され（図１５参照）、図示しない入力部から、システム制御部２ｂにレセプト４０の読み取り開始を指示する読取指示信号が出力されると、システム制御部２ｂは、まず、業務設定テーブル５１を構成するポケット設定テーブル８０、読取設定テーブル８１、部分画像設定テーブル８２、全面画像設定テーブル８３、無効帳票ポケット設定テーブル８５をそれぞれ帳票読取分類部１ｂに転送すると共に、ページ番号記憶部１９のページ番号データを「０」に初期化する。また、業務設定テーブル５１の内容を設定テーブル２１に転送する。
【００４６】
帳票読取分類部１ｂの制御ユニット１０は、帳票読取分類部１ｂを統括制御するユニットであり、ポケット設定テーブル８０等の上記各テーブルを受けると、受け付けた各テーブルを図示しないメモリに一時格納すると共に、レセプト４０の読取開始を指示する読取開始信号を搬送制御部１５に転送する。
【００４７】
搬送制御部１５は、搬送機構１６の駆動を制御する部であり、読取開始信号を受けると、搬送機構１６を駆動させ、搬送機構１６上に配置されたレセプト４０の束を１枚づつ装置内に搬送させる。
【００４８】
制御ユニット１０は、搬送されたレセプトが撮像機構１８を通過すると（図１５参照）、搬送されたレセプトの撮像を指示する撮像指示信号を撮像制御部１７に出力する。
【００４９】
撮像制御部１７は、レセプトの撮像を制御する部であり、撮像指示信号を受けると、撮像機構１８を制御し、搬送されたレセプトを光学的に読み取って、読取画像データを取得する。本実施例では、この読取画像データは、少なくとも、氏名部、性別部、生年月日部、傷病名欄、摘要欄、請求点、一部負担金、記号番号、診療実日数、診療開始日、傷病名の内容を示す画像データとする。また、本実施例の読取画像データは、黒色の背景を含む画像データであることとする。さらに、この読取画像データは、複数の画素により構成され、各画素の濃度が０〜２５５までの数値（以下、濃度値）で示された画像データであることとする。
【００５０】
制御ユニット１０は、読取画像データが取得されると、読取画像データを認識部２０に転送する。この際、制御ユニット１０は、ページ番号記憶部１９のページ番号データに「１」を加算してページ番号データの更新を行う。
【００５１】
認識部２０は、読取画像データからレセプトに記載されている項目内容を文字認識すると共に、各画像データ等を生成する部であり、帳票様式特定テーブル及び項目領域対応テーブルを図示しないメモリに保持している。
【００５２】
帳票様式特定テーブルは、レセプトの様式を特定するためのテーブルであり、帳票の様式を罫線の長さ、太さ、サイズ等の情報で定めた罫線データ及び罫線データの組み合わせに対応した帳票様式を示す帳票様式データが対応づけられている。
【００５３】
項目領域対応テーブルは、帳票に含まれる各項目の領域を特定するためのテーブルであり、帳票様式データ毎に、帳票に含まれる各項目の項目内容が記載される領域を座標で示した領域データが対応づけられている。本実施例では、氏名欄、氏名部、性別部、生年月日部、傷病名部、摘要欄の各項目内容が記載される領域を座標で示した領域データが対応づけられていることとする。
【００５４】
認識部２０の帳票外形検出部４０１は、帳票の外形を検出する部であり、図示しないメモリに、帳票外形の検出基準となる濃度変化量を示す基準変化量データ及び下記変化量算出式を保持している。
【００５５】
変化量算出式＝４＊ｆ（ｘ，ｙ）＋ｆ（ｘ，ｙ−１）−ｆ（ｘ，ｙ＋１）−ｆ（ｘ−１，ｙ）−ｆ（ｘ＋１，ｙ）・・・（１）
【００５６】
但し、ｆ（ｘ，ｙ）：選択画素の濃度値、ｆ（ｘ，ｙ−１）：上隣接画素の濃度値、ｆ（ｘ，ｙ＋１）：下隣接画素の濃度値、ｆ（ｘ−１，ｙ）：左隣接画素の濃度値、ｆ（ｘ＋１，ｙ）：右隣接画素の濃度値。
【００５７】
この変化量算出式は、読取画像データを構成する複数の画素から選択された画素（以下、選択画素）及び該選択画素の上、下、左、右に隣接する画素（以下、隣接画素）の濃度値に基づいて選択画素と隣接画素間の濃度変化量を算出する式である。
【００５８】
帳票外形検出部４０１は、読取画像データを受けると、読取画像データを構成する複数の画素から濃度変化量の算出対象として１画素を選択し、選択画素の濃度値を取得する。次に、選択画素の上、下、左、右に隣接する隣接画素の濃度値をそれぞれ取得する。そして、取得した各画素の濃度値を、上記式（１）に適用し、選択画素及び隣接画素間の濃度変化量を算出する。そして、濃度変化量が算出されると、メモリから基準変化量データを取得すると共に、算出された濃度変化量及び基準変化量を比較して、濃度変化量が基準変化量より大きいと、該選択画素を帳票境界領域と判定し、該選択画素の座標値を帳票および背景の境界を示す境界座標データとして取得する。一方、濃度変化量が基準変化量より小さいと、該選択画素を非帳票境界領域として判定し、該選択画素の境界座標データの取得は行わない。帳票外形検出部４０１は、引き続き、隣接する画素について、同様の検出処理を行って、帳票および背景との境界すなわち帳票辺を追跡する。
【００５９】
尚、選択画素を中心とした１００×１００画素等で区分される領域毎に濃度変化量を算出する構成としてもよい。
【００６０】
引き続き、帳票外形検出部４０１は、検出処理を読取画像データの全画素に対して実行すると、取得された各境界座標データに基づいて特定される各帳票辺の延長線上で交差する画素を帳票角領域として判定し、該交差画素の座標値を帳票角の座標を示す帳票角座標データとして取得する。
【００６１】
このように、帳票外形検出部４０１は、上述した検出処理を実行し、取得した各境界座標データ及び各帳票角座標データを図示しないメモリにそれぞれ保持する（図３９参照）。
【００６２】
形状判定部４０２は、読取画像データが示す帳票が正常形状か否かを判定する部であり、帳票外形検出部４０１により帳票角座標データが４つ取得され、各帳票角の角度が直角であり、かつ帳票角座標データに基づいて特定される各帳票辺が平行であると、正常と判定し（図４０（ａ）参照）、帳票角座標データが４つ取得されるが、各帳票角の角度が直角でないと、蛇行による異常と判定し（図４０（ｄ）参照）、帳票角座標データが５つ以上取得されると、紙折れ又は重走による異常と判定する（図４０（ｂ）又は図４０（ｃ）参照）。
【００６３】
ここで、各帳票角の角度は、特定された各帳票角座標データをアークタンジェント等の三角関数に適用することで算出することができる。また、各帳票辺が平行であるか否かは、例えば、取得された帳票角座標データに基づいて特定される各帳票辺の傾きを算出し、該算出された傾きが一致する帳票辺間を平行と判定し、不一致である帳票辺間を平行でないと判定することができる。
【００６４】
形状判定部４０２が異常と判定すると、制御ユニット１０は、形状異常（＝蛇行、紙折れ又は重走）による無効な読取画像データとして検知し、形状異常を示すデータのナンバリングを指示するナンバリング指示信号をナンバリング制御部１３に出力する。
【００６５】
ナンバリング制御部１３は、帳票へのナンバリングを制御する部であり、形状異常のナンバリング指示信号を受けると、形状異常を示す画像判定結果データを生成し、生成した画像判定結果データをナンバリング機構１４に転送し、ナンバリング機構１４は、搬送機構１６により搬送されてきたレセプト４０に対して、受け付けた画像判定結果データが示す形状異常を示すデータの印字処理を行う（図１５参照）。
【００６６】
尚、印字処理される形状異常を示すデータとしては、形状異常を示す文字データ及び数値データ（１：形状異常など）のいずれでもよい。また、該形状異常を示すデータと共に、紙折れ、蛇行、重走等のような形状異常の内容を示すデータも印字処理してもよい。さらに、形状異常と判定した処理過程を示すトレース情報も印字処理してもよい。
【００６７】
ナンバリング機構１４がレセプト４０に印字処理を行うと、制御ユニット１０は、異常なレセプト４０をポケットに分類すべく、ポケット制御部１１に画像判定結果データを転送する。
【００６８】
ポケット制御部１１は、画像判定結果データを受けると、画像判定結果データに基づいて、無効帳票ポケット設定テーブル８５を参照し、対応するポケット番号データを取得すると共に、取得したポケット番号データをポケット機構１２に転送する。
【００６９】
ポケット機構１２は、ポケット番号データを受けると、ポケット番号データが示すポケット番号のポケットに搬送されたレセプトを排出し、分類する（図１５参照）。本実施例では、ポケット９１に形状異常のレセプト４０が排出される。
【００７０】
制御ユニット１０は、搬送機構１６に配置されているレセプト４０が無くなるまで、上述したような読取分類処理を繰り返し実行し、レセプト４０が無くなると、読取分類処理を終了する。
【００７１】
一方、形状判定部４０２が正常と判定すると、制御ユニット１０は、濃度測定開始指示信号を濃度分布測定部４０３に出力する。
【００７２】
濃度分布測定部４０３は、各濃度値（０〜２５５）の画素数を計数した濃度ヒストグラムデータを生成する部であり、濃度測定開始指示信号を受けると、読取画像データを構成する各画素の濃度値に基づいて、濃度値毎（０〜２５５）の画素数を示す濃度ヒストグラムデータを生成する。
【００７３】
濃度判定部４０４は、読み取られた帳票が白紙またはノイズ過多の帳票であるか否かを判定する部であり、有効に利用可能な帳票（＝白紙またはノイズ過多以外の帳票）を判定するための基準となる濃度分散比を示す基準濃度分散比データを図示しないメモリに保持している。
【００７４】
濃度判定部４０４は、濃度分布測定部４０３が濃度ヒストグラムデータを生成すると、まず、濃度ヒストグラムデータに基づいて、濃度分散比を示す濃度分散比データを算出すると共に、該算出された濃度分散比データがメモリの基準濃度分散比データより大きいと、有効に利用可能な帳票（＝白紙またはノイズ過多の帳票以外）と判定し、濃度分散比データが基準濃度分散比データより小さいと、白紙またはノイズ過多の帳票と判定する。ここで、濃度分散比データは、従来技術と同様に、濃度ヒストグラムデータを例えば、Ｆ検定等の統計検定にて用いられる分散比算出式に適用することで算出することができる。
【００７５】
濃度判定部４０４が白紙またはノイズ過多の帳票と判定すると、制御ユニット１０は、濃度異常による無効な読取画像データとして検知し、濃度異常を示すデータのナンバリングを指示するナンバリング指示信号をナンバリング制御部１３に出力する。
【００７６】
ナンバリング制御部１３は、濃度異常のナンバリング指示信号を受けると、濃度異常を示す画像判定結果データを生成し、生成した画像判定結果データをナンバリング機構１４に転送し、ナンバリング機構１４は、搬送機構１６により搬送されてきたレセプト４０に対して、受け付けた画像判定結果データが示す濃度異常を示すデータの印字処理を行う（図１５参照）。
【００７７】
尚、印字処理される濃度異常を示すデータとしては、濃度異常を示す文字データ及び数値データ（２：濃度異常など）のいずれでもよい。また、該濃度異常を示すデータと共に、高濃度が多い又は薄濃度が多い等のような濃度異常の内容を示すデータも印字処理してもよい。さらに、濃度異常と判定した処理過程を示すトレース情報も印字処理してもよい。
【００７８】
ナンバリング機構１４がレセプト４０に印字処理を行うと、制御ユニット１０は、異常なレセプト４０をポケットに分類すべく、ポケット制御部１１に画像判定結果データを転送する。
【００７９】
ポケット制御部１１は、画像判定結果データを受けると、画像判定結果データに基づいて、無効帳票ポケット設定テーブル８５を参照し、対応するポケット番号データを取得すると共に、取得したポケット番号データをポケット機構１２に転送する。
【００８０】
ポケット機構１２は、ポケット番号データを受けると、ポケット番号データが示すポケット番号のポケットに搬送されたレセプトを排出し、分類する（図１５参照）。本実施例では、ポケット９２に濃度異常のレセプト４０が排出される。
【００８１】
制御ユニット１０は、搬送機構１６に配置されているレセプト４０が無くなるまで、上述したような読取分類処理を繰り返し実行し、レセプト４０が無くなると、読取分類処理を終了する。
【００８２】
一方、濃度判定部４０４が有効に利用可能な帳票（＝白紙またはノイズ過多の帳票以外）と判定すると、制御ユニット１０は、濃度補正開始指示信号を濃度補正部４０５に出力する。
【００８３】
濃度補正部４０５は、後述する部分画像データ等の視認性の向上を図るべく、読取画像データの輪郭強調補正を行う部であり、濃度補正開始指示信号を受けると、読取画像データに対して輪郭強調補正処理を実行する。この輪郭強調補正処理には、従来技術と同様の例えば、ラプラシアン法等を適用すればよい。濃度補正部４０５は、輪郭強調補正処理を完了すると、補正した読取画像データを補正画像記憶部４０６に格納する。
【００８４】
読取部４０７は、補正画像記憶部４０６に補正された読取画像データが格納されると、該補正された読取画像データの文字認識を行うと共に、文字認識された保険者識別データに基づいて、メモリの読取設定テーブルを参照し、対応する読取要否データが「○」で示している項目の項目内容を文字認識し、文字認識された保険者識別データ及び項目内容を示す読取データを取得する。
【００８５】
引き続き、認識部２０の部分画像作成部４０８は、読取データの確認、審査等の迅速化を図るための部分画像データを作成する部であり、読取部４０７が読取データを取得すると、文字認識された保険者識別データに基づいて、メモリの部分画像設定テーブル８２を参照し、対応する部分取得要否データが「○」で示している項目の項目内容を含む部分画像データを読取画像データから抽出すると共に、該保険者識別データを含む部分画像データを作成する。
【００８６】
そして、認識部２０の全面画像作成部４０９は、部分画像作成部４０８が部分画像データを作成すると、文字認識された保険者識別データに基づいて、メモリの全面画像設定テーブル８３を参照し、対応する全面取得要否データが「○」を示していると、レセプトの全項目内容を含む全面画像データを作成し、対応する全面取得要否データが「○」を示していないと、全面画像データを作成しない。
【００８７】
制御ユニット１０は、全面画像作成部４０９が全面画像データを作成しないと、ページ番号記憶部１９を参照し、ページ番号データを取得すると共に、ページ番号データと共に、取得された読取データ、作成された部分画像データをシステム制御部２ｂに転送し、全面画像作成部４０９が全面画像データを作成すると、ページ番号データと共に、読取データ、作成された部分画像データ、全面画像データをシステム制御部２ｂに転送する。
【００８８】
システム制御部２ｂの業務ＡＰ部５０は、ページ番号データ、読取データ、部分画像データ、全面画像データをそれぞれ受けると、ページ番号データに対応づけて読取データを読取結果記憶部５３に格納し、ページ番号データに対応づけて部分画像データを部分画像記憶部５４に格納し、ページ番号データに対応づけて全面画像データを全面画像記憶部５５に格納する。
【００８９】
帳票読取分類部１ｂの制御ユニット１０は、上述したように、読取データ等をシステム制御部２ｂに転送すると、引き続き、上述した読取データ等とレセプト４０とを対応づけるべく、ページ番号のナンバリングを指示するナンバリング指示信号をナンバリング制御部１３に転送する。
【００９０】
ナンバリング制御部１３は、ナンバリング指示信号を受けると、ページ番号記憶部１９のページ番号データを参照し、ページ番号データをナンバリング機構１４に転送し、ナンバリング機構１４は、受け付けたページ番号データが示すページ番号を搬送機構１６により、搬送されてきたレセプト４０に対して印字処理を行う（図１５参照）。
【００９１】
ナンバリング機構１４がレセプト４０に印字処理を行うと、制御ユニット１０は、レセプト４０を各保険者用のポケットに分類すべく、ポケット制御部１１に分類指示信号を転送する。
【００９２】
ポケット制御部１１は、分類指示信号を受けると、まず、レセプト４０の納入先となる保険者を識別すべく、保険者識別データの要求信号をシステム制御部２ｂに転送する。
【００９３】
システム制御部２ｂの業務ＡＰ部５０は、保険者識別データの要求信号を受けると、読取結果記憶部５３に格納されている読取データのうち、最後のページ番号データに対応づけられた読取データの保険者識別データを取得すると共に、取得された保険者識別データを帳票読取分類部１ｂのポケット制御部１１に転送する。
【００９４】
ポケット制御部１１は、保険者識別データを受けると、保険者識別データに基づいて、メモリのポケット設定テーブルを参照し、対応するポケット番号データを取得すると共に、取得したポケット番号データをポケット機構１２に転送する。
【００９５】
ポケット機構１２は、ポケット番号データを受けると、ポケット番号データが示すポケット番号のポケットに搬送されたレセプトを排出し、分類する（図１５参照）。
【００９６】
制御ユニット１０は、搬送機構１６に配置されているレセプト４０が無くなるまで、上述したような読取分類処理を繰り返し実行し、レセプト４０が無くなると、読取分類処理を終了する。
【００９７】
本実施例では、上述したように、帳票読取分類部１ｂが帳票の分類読取処理を完了させることで、読取結果記憶部５３には、図１６に示すように、ページ番号データに対応づけられた読取データ群が格納され、部分画像記憶部５４には、図１７に示すように、ページ番号データに対応づけられた部分画像データ群が格納され、全面画像記憶部５５には、図１８に示すように、ページ番号データに対応づけられた全面画像データ群が格納される。
【００９８】
引き続き、制御ユニット１０が読取分類処理を完了すると、各読取データが正確にレセプトに記載された項目内容を示しているかを確認すべく、修正端末３は、読取データ及び部分画像データの要求信号をシステム制御部２ｂに転送する。
【００９９】
システム制御部２ｂの業務ＡＰ部５０は、読取データ及び部分画像データの要求信号を受けると、最先のページ番号を示すページ番号データに基づいて、読取結果記憶部５３及び部分画像記憶部５４をそれぞれ参照し、同一のページ番号データに対応づけられた読取データ及び部分画像データをそれぞれ取得すると共に、取得した読取データ及び部分画像データを修正端末３に送信する。
【０１００】
修正端末３は、読取データ及び部分画像データを受信すると、読取データ及び部分画像データに基づいて、読取データが示す各項目内容を修正可能な修正画面データを生成すると共に、生成された修正画面データに基づいて、修正画面を図示しない表示部に表示する。
【０１０１】
修正端末３のオペレータは、修正画面を参照し、文字認識に失敗した読取データの項目内容等を図示しない入力部を介して修正する。オペレータにより、上述した読取データの修正確認を行い、全ての読取データの修正確認が完了すると、修正端末３は、修正確認完了を示す修正確認完了信号をシステム制御部２ｂに送信する。
【０１０２】
システム制御部２ｂの業務ＡＰ部５０は、修正確認完了信号を受信すると、引き続き、各保険者に対して請求すべき金額を算出すべく、読取結果記憶部５３の読取データ群を参照し、同一の保険者番号を有する読取データが示す請求点を合計し、各保険者別の請求点合計を示す請求点合算データを生成し、生成した請求点合算データを合計額記憶部５６に格納する。
【０１０３】
即ち、本実施例では、図１９に示すような、保険者Ａ、保険者Ｂ、保険者Ｃ毎の請求点合計を示す請求点合算データ群が合計額記憶部５６に格納される。
【０１０４】
引き続き、業務ＡＰ部５０は、サービス設定テーブル８４を参照し、各保険者の保険者識別データに対応するサービス方式データから、各保険者に提供すべき対象を検知する。
【０１０５】
即ち、本実施例では、保険者Ａ及び保険者Ｃの保険者識別データに対応するサービス方式データが「リスト提供」を「○」で示していることから、保険者Ａ及び保険者Ｃに「リスト」を提供すべきことを検知すると共に、保険者Ｂ及び保険者Ｃの保険者識別データに対応するサービス方式データが「電子媒体提供」を「○」で示していることから、保険者Ｂ及び保険者Ｃに「電子媒体」を提供すべきことを検知する。
【０１０６】
そして、業務ＡＰ部５０は、まず、「リスト」を提供すべきことを検知された保険者Ａ及び保険者Ｃのそれぞれに対して提供すべきリストを印刷処理する。
【０１０７】
ここで、例として、保険者Ｃに対するリストが印刷処理されるまでについて説明を行う。
【０１０８】
業務ＡＰ部５０は、保険者Ｃの保険者識別データに基づいて、読取結果記憶部５３を参照し、同一の保険者番号を有する読取データを抽出すると共に、抽出された読取データをリスト化して、読取リストデータを作成する。同様に、保険者Ｃの保険者識別データに基づいて、部分画像記憶部５４を参照し、同一の保険者番号を有する部分画像データを抽出すると共に、抽出した部分画像データをリスト化して、部分画像リストデータを作成する。さらに、業務ＡＰ部５０は、保険者Ｃの保険者識別データに基づいて、合計額記憶部５６を参照し、請求点合算データ群から、同一の保険者番号を有する請求点合算データを取得する。
【０１０９】
そして、業務ＡＰ部５０は、取得した請求点合算データ、作成した読取リストデータ及び部分画像リストデータに基づいて、請求点合算、読取リスト、部分画像リストをそれぞれ示す印刷データを生成し、プリンタチャネル７０を介して、生成した印刷データをプリンタ４に送信する。
【０１１０】
プリンタ４は、印刷データを受信すると、受信した印刷データに基づいて印刷処理を実行し、図２０に示すような保険者Ｃに提供すべきリストを作成する。
【０１１１】
業務ＡＰ部５０は、上記と同様に、保険者Ａに対しても印刷処理を実行し、保険者Ａに提供すべきリストを作成する。
【０１１２】
業務ＡＰ部５０は、リストの提供対象である全保険者のリスト印刷処理が完了すると、引き続き、「電子媒体」を提供すべきことを検知された保険者Ｂ及び保険者Ｃのそれぞれに対して提供すべき電子媒体レセプトを作成する。
【０１１３】
ここで、例として、保険者Ｃに対する電子媒体レセプトが作成されるまでについて説明を行う。
【０１１４】
業務ＡＰ部５０は、保険者Ｃの保険者識別データに基づいて、読取結果記憶部５３を参照し、同一の保険者番号を有する読取データを抽出すると共に、抽出された読取データをリスト化して、読取リストデータを作成する。同様に、保険者Ｃの保険者識別データに基づいて、部分画像記憶部５４を参照し、同一の保険者番号を有する部分画像データを抽出すると共に、抽出した部分画像データをリスト化して、部分画像リストデータを作成する。さらに、業務ＡＰ部５０は、保険者Ｃの保険者識別データに基づいて、合計額記憶部５６を参照し、請求点合算データ群から、同一の保険者番号を有する請求点合算データを取得すると共に、作成した読取リストデータ及び部分画像リストデータに含まれる同一のページ番号データに基づいて、全面画像記憶部５５を参照し、同一のページ番号を有する全面画像データを抽出すると共に、抽出した全面画像データをリスト化して、全面画像リストデータを作成する。
【０１１５】
引き続き、業務ＡＰ部５０は、抽出した請求点合算データ、作成した読取リストデータ、部分画像リストデータ、全面画像リストデータに基づいて、請求点合算、読取リスト、部分画像リスト、全面画像リストをそれぞれ示す電子媒体イメージデータを生成し、生成された電子媒体イメージデータを電子媒体イメージ記憶部５７に格納する。
【０１１６】
そして、業務ＡＰ部５０は、電子媒体チャネル７１を介して、電子媒体イメージ記憶部５７に格納した電子媒体イメージデータを電子媒体作成部５に送信する。
【０１１７】
電子媒体作成部５は、電子媒体イメージデータを受信すると、例えば、ＣＤ−ＲＯＭ等の電子媒体に対して、受信した電子媒体イメージデータの書き込みを行い、図２１に示すような保険者Ｃに提供すべき電子媒体レセプトを作成する。この際、電子媒体イメージデータに含まれる各リストデータを参照するためのインデックスデータも電子媒体に書き込まれる。
【０１１８】
業務ＡＰ部５０は、上記と同様に、保険者Ｂに対しても、ＣＤ−ＲＯＭ等の電子媒体に受信した電子媒体イメージデータを書き込み、提供すべき電子媒体レセプトを作成する。
【０１１９】
このように、レセプト４０の束は、保険者Ａ、Ｂ、Ｃ別に分類され、ポケット機構１２に一旦仕分け収納されると共に（図１５参照）、保険者Ａ、Ｂ、Ｃ・・別に仕分けされたレセプトは、サービス設定テーブル８４の設定に応じて、リストの印刷処理、電子媒体レセプトの作成を行うようにしたので、例えば、保険者Ａには、レセプト４１及び請求点合算データ４２を提供でき、保険者Ｂには、電子媒体レセプト４７のみを提供でき、また、保険者Ｃには、レセプト４５、請求点合算データ４６、電子媒体レセプト９０がそれぞれ提供できる（図２参照）。
【０１２０】
また、部分画像データ、全面画像データは、輪郭強調補正処理された読取画像データから抽出されることから、視認性の優れた部分画像データ、全面画像データからなる電子媒体レセプトを作成することができる。
【０１２１】
さらに、レセプト４０から取得される読取画像データの形状異常、濃度異常を検知した場合に、ポケット機構１２により、形状異常、濃度異常別のポケット９１、９２に仕分け収納されることから、オペレータは、仕分けされたレセプト４０が紙折れ等の状態ではないか確認することができ、レセプト４０の状態を直した後に再度上記した帳票分類処理を実行させるか、又はレセプト４０の入手元へ返戻するか等の対処が可能となる。
【０１２２】
〈実施例１の動作〉
次に、実施例１の帳票分類処理システムの動作について説明を行う。
【０１２３】
図２２は、実施例１の帳票分類処理システムの動作フローチャートである。
【０１２４】
例えば、レセプト４０の束が搬送機構１６上に配置され（図１５参照）、図示しない入力部から、システム制御部２ｂにレセプト４０の読み取り開始を指示する読取指示信号が出力されると、システム制御部２ｂは、まず、業務設定テーブル５１を構成するポケット設定テーブル８０、読取設定テーブル８１、部分画像設定テーブル８２、全面画像設定テーブル８３、無効帳票ポケット設定テーブル８５をそれぞれ帳票読取分類部１ｂに転送すると共に、ページ番号記憶部１９のページ番号データを「０」に初期化する（Ｓ１）。
【０１２５】
帳票読取分類部１ｂの制御ユニット１０は、ポケット設定テーブル８０等の上記各テーブルを受けると、以降、分類読取処理を実行する（Ｓ２）。
【０１２６】
図２３は、帳票読取分類部１ｂの動作フローチャートである。
【０１２７】
帳票読取分類部１ｂの制御ユニット１０は、受け付けた各テーブルを図示しないメモリに一時格納すると共に、レセプト４０の読取開始を指示する読取開始信号を搬送制御部１５に転送する（Ｓ１０１）。
【０１２８】
搬送制御部１５は、読取開始信号を受けると、搬送機構１６を駆動させ、搬送機構１６上に配置されたレセプト４０の束を１枚づつ装置内に搬送させる（Ｓ１０２）。
【０１２９】
制御ユニット１０は、搬送されたレセプトが撮像機構１８を通過すると（図１５参照）、搬送されたレセプトの撮像を指示する撮像指示信号を撮像制御部１７に出力する。
【０１３０】
撮像制御部１７は、撮像指示信号を受けると、撮像機構１８を制御し、搬送されたレセプトを光学的に読み取って、読取画像データを取得する（Ｓ１０３）。本実施例では、この読取画像データは、少なくとも、氏名部、性別部、生年月日部、傷病名欄、摘要欄、請求点、一部負担金、記号番号、診療実日数、診療開始日、傷病名の内容を示す画像データとする。また、本実施例の読取画像データは、黒色の背景を含む画像データであることとする。さらに、この読取画像データは、複数の画素により構成され、各画素の濃度が０〜２５５までの数値（以下、濃度値）で示された画像データであることとする。
【０１３１】
制御ユニット１０は、読取画像データが取得されると、読取画像データを認識部２０に転送する。この際、制御ユニット１０は、ページ番号記憶部１９のページ番号データに「１」を加算してページ番号データの更新を行う。
【０１３２】
認識部２０の帳票外形検出部４０１は、読取画像データを受けると、読取画像データを構成する複数の画素から濃度変化量の算出対象として１画素を選択し、選択画素の濃度値を取得する。次に、選択画素の上、下、左、右に隣接する隣接画素の濃度値をそれぞれ取得する。そして、取得した各画素の濃度値を、上記式（１）に適用し、選択画素及び隣接画素間の濃度変化量を算出する。そして、濃度変化量が算出されると、メモリから基準変化量データを取得すると共に、算出された濃度変化量及び基準変化量を比較して、濃度変化量が基準変化量より大きいと、該選択画素を帳票境界領域と判定し、該選択画素の座標値を帳票および背景の境界を示す境界座標データとして取得する。一方、濃度変化量が基準変化量より小さいと、該選択画素を非帳票境界領域として判定し、該選択画素の境界座標データの取得は行わない。帳票外形検出部４０１は、引き続き、隣接する画素について、同様の検出処理を行って帳票辺を追跡する（Ｓ１０４）。
【０１３３】
引き続き、帳票外形検出部４０１は、検出処理を読取画像データの全画素に対して実行すると、取得された各境界座標データに基づいて特定される各帳票辺の延長線上で交差する画素を帳票角領域として判定し、該交差画素の座標値を帳票角の座標を示す帳票角座標データとして取得する。
【０１３４】
このように、帳票外形検出部４０１は、上述した検出処理を実行し、取得した各境界座標データ及び各帳票角座標データを図示しないメモリにそれぞれ保持する。
【０１３５】
形状判定部４０２は、帳票外形検出部４０１により帳票角座標データが４つ取得され、各帳票角の角度が直角であり、かつ帳票角座標データに基づいて特定される各帳票辺が平行であると、正常と判定し、帳票角座標データが４つ取得されるが、各帳票角の角度が直角でないと、蛇行による異常と判定し、帳票角座標データが５つ以上取得されると、紙折れ又は重走による異常と判定する（Ｓ１０５）。
【０１３６】
ここで、各帳票角の角度は、特定された各帳票角座標データをアークタンジェント等の三角関数に適用することで算出することができる。また、各帳票辺が平行であるか否かは、例えば、取得された帳票角座標データに基づいて特定される各帳票辺の傾きを算出し、該算出された傾きが一致する帳票辺間を平行と判定し、不一致である帳票辺間を平行でないと判定することができる。
【０１３７】
形状判定部４０２が異常と判定すると、制御ユニット１０は、形状異常（＝蛇行、紙折れ又は重走）による無効な読取画像データとして検知し、形状異常を示すデータのナンバリングを指示するナンバリング指示信号をナンバリング制御部１３に出力する。
【０１３８】
ナンバリング制御部１３は、形状異常のナンバリング指示信号を受けると、形状異常を示す画像判定結果データを生成し、生成した画像判定結果データをナンバリング機構１４に転送し、ナンバリング機構１４は、搬送機構１６により搬送されてきたレセプト４０に対して、受け付けた画像判定結果データが示す形状異常を示すデータの印字処理を行う（Ｓ１０６）。
【０１３９】
ナンバリング機構１４がレセプト４０に印字処理を行うと、制御ユニット１０は、異常なレセプト４０をポケットに分類すべく、ポケット制御部１１に画像判定結果データを転送する。
【０１４０】
ポケット制御部１１は、画像判定結果データを受けると、画像判定結果データに基づいて、無効帳票ポケット設定テーブル８５を参照し、対応するポケット番号データを取得すると共に、取得したポケット番号データをポケット機構１２に転送する。
【０１４１】
ポケット機構１２は、ポケット番号データを受けると、ポケット番号データが示すポケット番号のポケットに搬送されたレセプトを排出し、分類する（Ｓ１０７）。本実施例では、ポケット９１に形状異常のレセプト４０が排出される。
【０１４２】
制御ユニット１０は、搬送機構１６に配置されているレセプト４０が無くなるまで、上述したような読取分類処理を繰り返し実行し、レセプト４０が無くなると、読取分類処理を終了する（Ｓ１１７）。
【０１４３】
一方、形状判定部４０２が正常と判定すると、制御ユニット１０は、濃度測定開始指示信号を濃度分布測定部４０３に出力する。
【０１４４】
濃度分布測定部４０３は、濃度測定開始指示信号を受けると、読取画像データを構成する各画素の濃度値に基づいて、濃度値毎（０〜２５５）の画素数を示す濃度ヒストグラムデータを生成する（Ｓ１０８）。
【０１４５】
濃度判定部４０４は、濃度分布測定部４０３が濃度ヒストグラムデータを生成すると、まず、濃度ヒストグラムデータに基づいて、濃度分散比を示す濃度分散比データを算出すると共に、該算出された濃度分散比データがメモリの基準濃度分散比データより大きいと、有効に利用可能な帳票（＝白紙またはノイズ過多の帳票以外）と判定し、濃度分散比データが基準濃度分散比データより小さいと、白紙またはノイズ過多の帳票と判定する（Ｓ１０９）。ここで、濃度分散比データは、従来技術と同様に、濃度ヒストグラムデータを例えば、Ｆ検定等の統計検定にて用いられる分散比算出式に適用することで算出することができる。
【０１４６】
濃度判定部４０４が白紙またはノイズ過多の帳票と判定すると、制御ユニット１０は、濃度異常による無効な読取画像データとして検知し、濃度異常を示すデータのナンバリングを指示するナンバリング指示信号をナンバリング制御部１３に出力する。
【０１４７】
ナンバリング制御部１３は、濃度異常のナンバリング指示信号を受けると、濃度異常を示す画像判定結果データを生成し、生成した画像判定結果データをナンバリング機構１４に転送し、ナンバリング機構１４は、搬送機構１６により搬送されてきたレセプト４０に対して、受け付けた画像判定結果データが示す濃度異常を示すデータの印字処理を行う（Ｓ１０６）。
【０１４８】
尚、印字処理される濃度異常を示すデータとしては、濃度異常を示す文字データ及び数値データ（２：濃度異常など）のいずれでもよい。また、該濃度異常を示すデータと共に、高濃度が多い又は薄濃度が多い等のような濃度異常の内容を示すデータも印字処理してもよい。さらに、濃度異常と判定した処理過程を示すトレース情報も印字処理してもよい。
【０１４９】
ナンバリング機構１４がレセプト４０に印字処理を行うと、制御ユニット１０は、異常なレセプト４０をポケットに分類すべく、ポケット制御部１１に画像判定結果データを転送する。
【０１５０】
ポケット制御部１１は、画像判定結果データを受けると、画像判定結果データに基づいて、無効帳票ポケット設定テーブル８５を参照し、対応するポケット番号データを取得すると共に、取得したポケット番号データをポケット機構１２に転送する。
【０１５１】
ポケット機構１２は、ポケット番号データを受けると、ポケット番号データが示すポケット番号のポケットに搬送されたレセプトを排出し、分類する（Ｓ１０７）。本実施例では、ポケット９２に濃度異常のレセプト４０が排出される。
【０１５２】
制御ユニット１０は、搬送機構１６に配置されているレセプト４０が無くなるまで、上述したような読取分類処理を繰り返し実行し、レセプト４０が無くなると、読取分類処理を終了する（Ｓ１１７）。
【０１５３】
一方、濃度判定部４０４が有効に利用可能な帳票（＝白紙またはノイズ過多の帳票以外）と判定すると、制御ユニット１０は、濃度補正開始指示信号を濃度補正部４０５に出力する。
【０１５４】
濃度補正部４０５は、濃度補正開始指示信号を受けると、読取画像データに対して輪郭強調補正処理を実行する（Ｓ１１０）。この輪郭強調補正処理には、従来技術と同様の例えば、ラプラシアン法等を適用すればよい。濃度補正部４０５は、輪郭強調補正処理を完了すると、補正した読取画像データを補正画像記憶部４０６に格納する。
【０１５５】
読取部４０７は、補正画像記憶部４０６に補正された読取画像データが格納されると、該補正された読取画像データの文字認識を行うと共に、文字認識された保険者識別データに基づいて、メモリの読取設定テーブルを参照し、対応する読取要否データが「○」で示している項目の項目内容を文字認識し、文字認識された保険者識別データ及び項目内容を示す読取データを取得する（Ｓ１１１）。
【０１５６】
引き続き、認識部２０の部分画像作成部４０８は、読取部４０７が読取データを取得すると、文字認識された保険者識別データに基づいて、メモリの部分画像設定テーブル８２を参照し、対応する部分取得要否データが「○」で示している項目の項目内容を含む部分画像データを読取画像データから抽出すると共に、該保険者識別データを含む部分画像データを作成する（Ｓ１１２）。
【０１５７】
そして、認識部２０の全面画像作成部４０９は、部分画像作成部４０８が部分画像データを作成すると、文字認識された保険者識別データに基づいて、メモリの全面画像設定テーブル８３を参照し、対応する全面取得要否データが「○」を示していると、レセプトの全項目内容を含む全面画像データを作成し（Ｓ１１３＆Ｓ１１４）、対応する全面取得要否データが「○」を示していないと、全面画像データを作成しない。
【０１５８】
制御ユニット１０は、全面画像作成部４０９が全面画像データを作成しないと、ページ番号記憶部１９を参照し、ページ番号データを取得すると共に、ページ番号データと共に、取得された読取データ、作成された部分画像データをシステム制御部２ｂに転送し、全面画像作成部４０９が全面画像データを作成すると、ページ番号データと共に、読取データ、作成された部分画像データ、全面画像データをシステム制御部２ｂに転送する。
【０１５９】
システム制御部２ｂの業務ＡＰ部５０は、ページ番号データ、読取データ、部分画像データ、全面画像データをそれぞれ受けると、ページ番号データに対応づけて読取データを読取結果記憶部５３に格納し、ページ番号データに対応づけて部分画像データを部分画像記憶部５４に格納し、ページ番号データに対応づけて全面画像データを全面画像記憶部５５に格納する。
【０１６０】
帳票読取分類部１ｂの制御ユニット１０は、上述したように、読取データ等をシステム制御部２ｂに転送すると、引き続き、上述した読取データ等とレセプト４０とを対応づけるべく、ページ番号のナンバリングを指示するナンバリング指示信号をナンバリング制御部１３に転送する。
【０１６１】
ナンバリング制御部１３は、ナンバリング指示信号を受けると、ページ番号記憶部１９のページ番号データを参照し、ページ番号データをナンバリング機構１４に転送し、ナンバリング機構１４は、受け付けたページ番号データが示すページ番号を搬送機構１６により、搬送されてきたレセプト４０に対して印字処理を行う（Ｓ１１５）。
【０１６２】
ナンバリング機構１４がレセプト４０に印字処理を行うと、制御ユニット１０は、レセプト４０を各保険者用のポケットに分類すべく、ポケット制御部１１に分類指示信号を転送する。
【０１６３】
ポケット制御部１１は、分類指示信号を受けると、まず、レセプト４０の納入先となる保険者を識別すべく、保険者識別データの要求信号をシステム制御部２ｂに転送する。
【０１６４】
システム制御部２ｂの業務ＡＰ部５０は、保険者識別データの要求信号を受けると、読取結果記憶部５３に格納されている読取データのうち、最後のページ番号データに対応づけられた読取データの保険者識別データを取得すると共に、取得された保険者識別データを帳票読取分類部１ｂのポケット制御部１１に転送する。
【０１６５】
ポケット制御部１１は、保険者識別データを受けると、保険者識別データに基づいて、メモリのポケット設定テーブルを参照し、対応するポケット番号データを取得すると共に、取得したポケット番号データをポケット機構１２に転送する。
【０１６６】
ポケット機構１２は、ポケット番号データを受けると、ポケット番号データが示すポケット番号のポケットに搬送されたレセプトを排出し、分類する（Ｓ１１６）。
【０１６７】
制御ユニット１０は、搬送機構１６に配置されているレセプト４０が無くなるまで、上述したような読取分類処理を繰り返し実行し、レセプト４０が無くなると、読取分類処理を終了する（Ｓ１１７）。
【０１６８】
本実施例では、上述したように、帳票読取分類部１ｂが帳票の分類読取処理を完了させることで、読取結果記憶部５３には、図１６に示すように、ページ番号データに対応づけられた読取データ群が格納され、部分画像記憶部５４には、図１７に示すように、ページ番号データに対応づけられた部分画像データ群が格納され、全面画像記憶部５５には、図１８に示すように、ページ番号データに対応づけられた全面画像データ群が格納される。
【０１６９】
引き続き、制御ユニット１０が読取分類処理を完了すると、各読取データが正確にレセプトに記載された項目内容を示しているかを確認すべく、修正端末３は、読取データ及び部分画像データの要求信号をシステム制御部２ｂに転送する。
【０１７０】
システム制御部２ｂの業務ＡＰ部５０は、読取データ及び部分画像データの要求信号を受けると、最先のページ番号を示すページ番号データに基づいて、読取結果記憶部５３及び部分画像記憶部５４をそれぞれ参照し、同一のページ番号データに対応づけられた読取データ及び部分画像データをそれぞれ取得すると共に、取得した読取データ及び部分画像データを修正端末３に送信する。
【０１７１】
修正端末３は、読取データ及び部分画像データを受信すると、読取データ及び部分画像データに基づいて、読取データが示す各項目内容を修正可能な修正画面データを生成すると共に、生成された修正画面データに基づいて、修正画面を図示しない表示部に表示する。
【０１７２】
修正端末３のオペレータは、修正画面を参照し、文字認識に失敗した読取データの項目内容等を図示しない入力部を介して修正する（Ｓ３）。オペレータは、上述した読取データの修正確認を行い、全ての読取データの修正確認が完了すると、修正端末３は、修正確認完了を示す修正確認完了信号をシステム制御部２ｂに送信する。
【０１７３】
システム制御部２ｂの業務ＡＰ部５０は、修正確認完了信号を受信すると、引き続き、各保険者に対して請求すべき金額を算出すべく、読取結果記憶部５３の読取データ群を参照し、同一の保険者番号を有する読取データが示す請求点を合計し、各保険者別の請求点合計を示す請求点合算データを生成し、生成した請求点合算データを合計額記憶部５６に格納する（Ｓ４）。
【０１７４】
即ち、本実施例では、図１９に示すような、保険者Ａ、保険者Ｂ、保険者Ｃ毎の請求点合計を示す請求点合算データ群が合計額記憶部５６に格納される。
【０１７５】
引き続き、業務ＡＰ部５０は、サービス設定テーブル８４を参照し、各保険者の保険者識別データに対応するサービス方式データから、各保険者に提供すべき対象を検知する。
【０１７６】
即ち、本実施例では、保険者Ａ及び保険者Ｃの保険者識別データに対応するサービス方式データが「リスト提供」を「○」で示していることから、保険者Ａ及び保険者Ｃに「リスト」を提供すべきことを検知すると共に、保険者Ｂ及び保険者Ｃの保険者識別データに対応するサービス方式データが「電子媒体提供」を「○」で示していることから、保険者Ｂ及び保険者Ｃに「電子媒体」を提供すべきことを検知する。
【０１７７】
そして、業務ＡＰ部５０は、まず、「リスト」を提供すべきことを検知された保険者Ａ及び保険者Ｃのそれぞれに対して提供すべきリストを印刷処理する（Ｓ５）。
【０１７８】
ここで、例として、保険者Ｃに対するリストが印刷処理されるまでについて説明を行う。
【０１７９】
業務ＡＰ部５０は、保険者Ｃの保険者識別データに基づいて、読取結果記憶部５３を参照し、同一の保険者番号を有する読取データを抽出すると共に、抽出された読取データをリスト化して、読取リストデータを作成する。同様に、保険者Ｃの保険者識別データに基づいて、部分画像記憶部５４を参照し、同一の保険者番号を有する部分画像データを抽出すると共に、抽出した部分画像データをリスト化して、部分画像リストデータを作成する。さらに、業務ＡＰ部５０は、保険者Ｃの保険者識別データに基づいて、合計額記憶部５６を参照し、請求点合算データ群から、同一の保険者番号を有する請求点合算データを取得する。
【０１８０】
そして、業務ＡＰ部５０は、取得した請求点合算データ、作成した読取リストデータ及び部分画像リストデータに基づいて、請求点合算、読取リスト、部分画像リストをそれぞれ示す印刷データを生成し、プリンタチャネル７０を介して、生成した印刷データをプリンタ４に送信する。
【０１８１】
プリンタ４は、印刷データを受信すると、受信した印刷データに基づいて印刷処理を実行し、図２０に示すような保険者Ｃに提供すべきリストを作成する。
【０１８２】
業務ＡＰ部５０は、上記と同様に、保険者Ａに対しても印刷処理を実行し、保険者Ａに提供すべきリストを作成する。
【０１８３】
業務ＡＰ部５０は、リストの提供対象である全保険者のリスト印刷処理が完了すると、引き続き、「電子媒体」を提供すべきことを検知された保険者Ｂ及び保険者Ｃのそれぞれに対して提供すべき電子媒体レセプトを作成する（Ｓ６）。
【０１８４】
ここで、例として、保険者Ｃに対する電子媒体レセプトが作成されるまでについて説明を行う。
【０１８５】
業務ＡＰ部５０は、保険者Ｃの保険者識別データに基づいて、読取結果記憶部５３を参照し、同一の保険者番号を有する読取データを抽出すると共に、抽出された読取データをリスト化して、読取リストデータを作成する。同様に、保険者Ｃの保険者識別データに基づいて、部分画像記憶部５４を参照し、同一の保険者番号を有する部分画像データを抽出すると共に、抽出した部分画像データをリスト化して、部分画像リストデータを作成する。さらに、業務ＡＰ部５０は、保険者Ｃの保険者識別データに基づいて、合計額記憶部５６を参照し、請求点合算データ群から、同一の保険者番号を有する請求点合算データを取得すると共に、作成した読取リストデータ及び部分画像リストデータに含まれる同一のページ番号データに基づいて、全面画像記憶部５５を参照し、同一のページ番号を有する全面画像データを抽出すると共に、抽出した全面画像データをリスト化して、全面画像リストデータを作成する。
【０１８６】
引き続き、業務ＡＰ部５０は、抽出した請求点合算データ、作成した読取リストデータ、部分画像リストデータ、全面画像リストデータに基づいて、請求点合算、読取リスト、部分画像リスト、全面画像リストをそれぞれ示す電子媒体イメージデータを生成し、生成された電子媒体イメージデータを電子媒体イメージ記憶部５７に格納する。
【０１８７】
そして、業務ＡＰ部５０は、電子媒体チャネル７１を介して、電子媒体イメージ記憶部５７に格納した電子媒体イメージデータを電子媒体作成部５に送信する。
【０１８８】
電子媒体作成部５は、電子媒体イメージデータを受信すると、例えば、ＣＤ−ＲＯＭ等の電子媒体に対して、受信した電子媒体イメージデータの書き込みを行い、図２１に示すような保険者Ｃに提供すべき電子媒体レセプトを作成する。この際、電子媒体イメージデータに含まれる各リストデータを参照するためのインデックスデータも電子媒体に書き込まれる。
【０１８９】
業務ＡＰ部５０は、上記と同様に、保険者Ｂに対しても、ＣＤ−ＲＯＭ等の電子媒体に受信した電子媒体イメージデータを書き込み、提供すべき電子媒体レセプトを作成する。
【０１９０】
〈実施例１の効果〉
実施例１の帳票分類処理システムでは、従来のように紙による帳票を必要とする保険者には紙帳票を提供し、保管場所等に制約があって紙帳票を望まない保険者に対しては電子媒体レセプトを提供できる。紙帳票と電子媒体レセプトの両方とも希望する保険者にはその両方を提供できるサービスが実現される。帳票の具体例として、医療機関が健康保険組合等の保険者に対して請求発行する診療報酬明細書のレセプトに好適であり、月次大量に発生するレセプト処理業務において医療機関および納入先の双方にとって遅滞のない迅速な処理が可能になる。
【０１９１】
また、読取画像データの濃度変化量に基づいて、レセプトが正常形状か否かを判定すると共に、正常形状のレセプトの読取画像データを輪郭強調補正し、該補正された読取画像データから部分画像データ、全面画像データを抽出するようにしたので、視認性の優れた部分画像データ、全面画像データを含む電子媒体レセプトを作成することができる。
【０１９２】
さらに、レセプト４０から取得される読取画像データの形状異常、濃度異常を検知した場合に、ポケット機構１２により、形状異常、濃度異常別のポケット９１、９２に仕分け収納されることから、オペレータは、仕分けされたレセプト４０が紙折れ等の状態ではないか確認することができ、レセプト４０の状態を直した後に再度上記した帳票分類処理を実行させるか、又はレセプト４０の入手元へ返戻するか等の対処が可能となる。
【実施例２】
【０１９３】
〈実施例２の構成〉
図２４は、実施例２の帳票分類処理システムを示すブロック構成図である。
【０１９４】
図２４に示すように、実施例２の帳票分類処理システムは、帳票読取分類部１ｃ、システム制御部２ｂ、修正端末３、プリンタ４、電子媒体作成部５から構成され、修正端末３、プリンタ４、電子媒体作成部５は、実施例１と同様である。
【０１９５】
図２５は、帳票読取分類部１ｃを示すブロック構成図である。
【０１９６】
図２５に示すように、帳票読取分類部１ｃは、制御ユニット１０、ポケット制御部１１、ポケット機構１２、ナンバリング制御部１３、ナンバリング機構１４、搬送制御部１５、搬送機構１６、撮像制御部１７、撮像機構１８、ページ番号記憶部１９、認識部２０ａを有しており、制御ユニット１０、ポケット制御部１１、ポケット機構１２、ナンバリング制御部１３、ナンバリング機構１４、搬送制御部１５、搬送機構１６、撮像制御部１７、撮像機構１８、ページ番号記憶部１９は、実施例１と同様である。
【０１９７】
図２６は、実施例１と異なる帳票読取分類部１ｃの認識部２０ａを示すブロック構成図である。
【０１９８】
図２６に示すように、認識部２０ａは、帳票外形検出部４０１、形状判定部４０２、濃度分布測定部４０３、濃度判定部４０４、濃度補正部４０５、補正画像記憶部４０６、読取部４０７、部分画像作成部４０８ｂ、全面画像作成部４０９ｂから構成され、帳票外形検出部４０１、形状判定部４０２、濃度分布測定部４０３、濃度判定部４０４、濃度補正部４０５、補正画像記憶部４０６、読取部４０７は、実施例１と同様である。
【０１９９】
実施例２の部分画像作成部４０８ｂは、読取データの確認、審査等の迅速化を図るための部分画像データを作成する部であり、図２７に示すように、部分領域変換部５１０、画像取得部５１１及び拡張領域編集部５１２から構成されている。
【０２００】
部分領域変換部５１０は、一部が項目外に記載された文字等の視認性の向上を図るべく、部分画像として抽出すべき各項目の領域拡張を行う部であり、図示しないメモリにレセプトを構成する各項目の項目領域をそれぞれ座標で示す領域データ及び例えば２ｍｍ等のような各項目領域の拡張すべき長さを示す拡張値データを保持している。
【０２０１】
この部分領域変換部５１０は、実施例１と同様に、読取部４０７が読取データを取得すると、文字認識された保険者識別データに基づいて、メモリの部分画像設定テーブル８２を参照し、対応する部分取得要否データが「○」で示している拡張すべき項目領域を特定すると共に、引き続き、メモリを参照し、特定した各項目領域の領域データを拡張値データに基づいて拡張した拡張領域データを生成する。
【０２０２】
画像取得部５１１は、読取画像データから部分画像データを抽出する部であり、部分領域変換部５１０が拡張領域データを生成すると、生成された拡張領域データに基づいて、拡張領域を含む部分画像データを読取画像データから抽出すると共に、保険者識別データを含めた部分画像データを作成する。
【０２０３】
拡張領域編集部５１２は、拡張領域を明示化すべく、部分画像データを構成する各項目の拡張範囲を画像処理する部であり、画像取得部５１１が部分画像データを作成すると、メモリの拡張値データに基づいて、作成された部分画像データを構成する各項目の拡張範囲を特定すると共に、特定された拡張範囲に対してスクリーン処理を行う。このスクリーン処理には、例えば、従来技術と同様の半透明化処理、ドットパターン変換処理等が適用できる（図４１参照）。
【０２０４】
実施例２の全面画像作成部４０９ｂは、読取画像データから、背景等の不要領域を除いた全面画像データを作成する部であり、図２８に示すように、取得範囲制定部５２２及び画像取得部５２３から構成されている。
【０２０５】
取得範囲制定部５２２は、読取画像データに含まれる背景等の不要領域の範囲を決定する部であり、拡張領域編集部５１２がスクリーン処理を完了すると、帳票外形検出部４０１によりメモリに格納された帳票及び背景間の境界を示す各境界座標データを取得すると共に、取得した各境界座標データを画像取得部５２３に転送する。
【０２０６】
画像取得部５２３は、読取画像データから全面画像データを取得する部であり、各境界座標データを受けると、文字認識された保険者識別データに基づいて、メモリの全面画像設定テーブル８３を参照し、対応する全面取得要否データが「○」を示していると、レセプトの全項目内容を含み、かつ各境界座標データに基づいて区分される読取画像データの領域のうち、背景等の外側領域を除去した全面画像データを作成し（図４２参照）、対応する全面取得要否データが「○」を示していないと、全面画像データを作成しない。
【０２０７】
制御ユニット１０は、全面画像作成部４０９ｂが全面画像データを作成しないと、ページ番号記憶部１９を参照し、ページ番号データを取得すると共に、ページ番号データと共に、取得された読取データ、作成された部分画像データをシステム制御部２ｂに転送し、全面画像作成部４０９ｂが全面画像データを作成すると、ページ番号データと共に、読取データ、作成された部分画像データ、全面画像データをシステム制御部２ｂに転送し、以降、実施例１と同様に動作する。
【０２０８】
〈実施例２の動作〉
次に、実施例２の帳票分類処理システムの動作について説明を行う。
【０２０９】
実施例２では、帳票読取分類部１ｃの部分画像作成部４０８ｂ及び全面画像作成部４０９ｂのみが実施例１と異なるので、以下、部分画像作成部４０８ｂ及び全面画像作成部４０９ｂの動作についてのみ説明を行う。
【０２１０】
図２９は、部分画像作成部４０８ｂおよび全面画像作成部４０９ｂの動作フローチャートである。
【０２１１】
実施例１と同様に分類読取処理が実行され、読取部４０７により読取データが取得されると、部分画像作成部４０８ｂの部分領域変換部５１０は、文字認識された保険者識別データに基づいて、メモリの部分画像設定テーブル８２を参照し、対応する部分取得要否データが「○」で示している拡張すべき項目領域を特定すると共に、引き続き、メモリを参照し、特定した各項目領域の領域データを拡張値データに基づいて拡張した拡張領域データを生成する（Ｓ１０１）。
【０２１２】
画像取得部５１１は、部分領域変換部５１０が拡張領域データを生成すると、生成された拡張領域データに基づいて、拡張領域を含む部分画像データを読取画像データから抽出すると共に、保険者識別データを含めた部分画像データを作成する（Ｓ１０２）。
【０２１３】
拡張領域編集部５１２は、画像取得部５１１が部分画像データを作成すると、メモリの拡張値データに基づいて、作成された部分画像データを構成する各項目の拡張範囲を特定すると共に、特定された拡張範囲に対してスクリーン処理を行う（Ｓ１０３）。このスクリーン処理には、例えば、従来技術と同様の半透明化処理、ドットパターン変換処理等が適用できる。
【０２１４】
全面画像作成部４０９ｂの取得範囲制定部５２２は、拡張領域編集部５１２がスクリーン処理を完了すると、帳票外形検出部４０１によりメモリに格納された帳票及び背景間の境界を示す各境界座標データを取得すると共に、取得した各境界座標データを画像取得部５２３に転送する（Ｓ１０４）。
【０２１５】
画像取得部５２３は、各境界座標データを受けると、文字認識された保険者識別データに基づいて、メモリの全面画像設定テーブル８３を参照し、対応する全面取得要否データが「○」を示していると、レセプトの全項目内容を含み、かつ各境界座標データに基づいて区分される読取画像データの領域のうち、背景等の外側領域を除去した全面画像データを作成し、対応する全面取得要否データが「○」を示していないと、全面画像データを作成しない（Ｓ１０５＆Ｓ１０６）。
【０２１６】
制御ユニット１０は、全面画像作成部４０９ｂが全面画像データを作成しないと、ページ番号記憶部１９を参照し、ページ番号データを取得すると共に、ページ番号データと共に、取得された読取データ、作成された部分画像データをシステム制御部２ｂに転送し、全面画像作成部４０９ｂが全面画像データを作成すると、ページ番号データと共に、読取データ、作成された部分画像データ、全面画像データをシステム制御部２ｂに転送し、以降、実施例１と同様に動作する。
【０２１７】
〈実施例２の効果〉
実施例２の帳票分類処理システムでは、従来のように紙による帳票を必要とする保険者には紙帳票を提供し、保管場所等に制約があって紙帳票を望まない保険者に対しては電子媒体レセプトを提供できる。紙帳票と電子媒体レセプトの両方とも希望する保険者にはその両方を提供できるサービスが実現される。帳票の具体例として、医療機関が健康保険組合等の保険者に対して請求発行する診療報酬明細書のレセプトに好適であり、月次大量に発生するレセプト処理業務において医療機関および納入先の双方にとって遅滞のない迅速な処理が可能になる。
【０２１８】
また、読取画像データから、予め登録された拡張値データが示す拡張範囲を含むレセプトの審査に必要な所定項目を抽出した部分画像データを取得すると共に、該拡張範囲に対してスクリーン処理を行うようにしたので、項目から外れて文字等が記載されていることから、記載された文字等が識別困難な視認性の悪い部分画像データが取得され、該視認性の悪い部分画像データを記録した電子媒体レセプトが作成されるのを防止できる。
【０２１９】
さらに、各境界座標データに基づいて区分される読取画像データの領域のうち、背景等の不要な外側領域を除去した全面画像データを作成するようにしたので、視認性の悪い全面画像データが取得され、該視認性の悪い全面画像データを記録した電子媒体レセプトが作成されるのを防止できる。また、印刷時には、背景等の不要な外側領域を除去した全面画像データに基づく印刷処理を実行できるので、背景等の不要な外側領域を含むことで不要なトナーが消費されるのを防止できる。
【実施例３】
【０２２０】
〈実施例３の構成〉
図３０は、実施例３の帳票分類処理システムを示すブロック構成図である。
【０２２１】
図３０に示すように、実施例３の帳票分類処理システムは、帳票読取分類部１ｄ、システム制御部２ｂ、修正端末３、プリンタ４、電子媒体作成部５から構成され、システム制御部２ｂ、修正端末３、プリンタ４、電子媒体作成部５は、実施例２と同様である。
【０２２２】
図３１は、実施例３の帳票読取分類部１ｄを示すブロック構成図である。
【０２２３】
図３１に示すように、帳票読取分類部１ｄは、制御ユニット１０、ポケット制御部１１、ポケット機構１２、ナンバリング制御部１３、ナンバリング機構１４、搬送制御部１５、搬送機構１６、撮像制御部１７、撮像機構１８、ページ番号記憶部１９、認識部２０ｂ、設定テーブル２１を有しており、制御ユニット１０、ポケット制御部１１、ポケット機構１２、ナンバリング制御部１３、ナンバリング機構１４、搬送制御部１５、搬送機構１６、撮像制御部１７、撮像機構１８、ページ番号記憶部１９、設定テーブル２１は、実施例２と同様である。
【０２２４】
図３２は、帳票読取分類部１ｄの認識部２０ｂを示すブロック構成図である。
【０２２５】
図３２に示すように、実施例３の認識部２０ｂは、帳票外形検出部４０１ａ、形状判定部４０２ｂ、濃度分布測定部４０３、濃度判定部４０４、濃度補正部４０５、補正画像記憶部４０６、読取部４０７、部分画像作成部４０８ｂ、全面画像作成部４０９ｃから構成され、濃度分布測定部４０３、濃度判定部４０４、濃度補正部４０５、補正画像記憶部４０６、読取部４０７、部分画像作成部４０８ｂは、実施例２と同様である。
【０２２６】
帳票外形検出部４０１ａは、例えば、Ａ４サイズの帳票を画像として読み取った場合のデータ量を示す基準帳票画像量データを図示しないメモリに保持している。
【０２２７】
帳票外形検出部４０１ａは、実施例１と同様に、読取画像データを受けると、まず、読取画像データを解析し、該読取画像データの解像度等により算出した読取画像量データを取得し、取得した読取画像量データ及び基準帳票画像量データを比較し、読取画像量データが基準帳票画像量データ以下であると、Ａ４サイズの帳票の読取画像データを受け付けたことを検知し、以降、実施例２と同様の検出処理を実行する。
【０２２８】
一方、読取画像量データが基準帳票画像量データより大きいと、帳票外形検出部４０１ａは、例えば、図３３に示すような、続紙Ａ、Ｂが人手等で付された横長帳票の読取画像データを受け付けたことを検知し、読取画像データを濃度判定部４０４に転送し、以降、部分画像データが作成されるまで、実施例２と同様に動作する。
【０２２９】
全面画像作成部４０９ｃは、横長帳票の全面画像データを作成する部であり、図３４に示すように、横長判定部５２０、境界検出部５２１、取得範囲制定部５２２ｂ、画像取得部５２３、背景編集部５２４、マルチ頁変換部５２５から構成されている。
【０２３０】
全面画像作成部４０９ｃの横長判定部５２０は、横長帳票であるか否かを判定するための部であり、例えば、Ａ４サイズの帳票を画像として読み取った場合のデータ量を示す基準帳票画像量データを図示しないメモリに保持しており、読取画像データを受けると、まず、読取画像データを解析し、該読取画像データの解像度等により算出した読取画像量データを取得し、取得した読取画像量データ及び基準帳票画像量データを比較し、読取画像量データが基準帳票画像量データ以下であると、横長帳票ではないと判定し、以降、実施例２と同様に動作する。一方、読取画像量データが基準帳票画像量データより大きいと、横長帳票と判定する。
【０２３１】
境界検出部５２１は、横長帳票の外形を検出する部であり、実施例１の帳票外形検出部４０１と同様に、帳票外形の検出基準となる濃度変化量を示す基準変化量データ及び変化量算出式（１）を図示しないメモリに保持している。
【０２３２】
境界検出部５２１は、横長判定部５２０が横長帳票と判定すると、読取画像データを構成する複数の画素から濃度変化量の算出対象として１画素を選択し、選択画素の濃度値を取得する。次に、選択画素の上、下、左、右に隣接する隣接画素の濃度値をそれぞれ取得する。そして、取得した各画素の濃度値を、上記式（１）に適用し、選択画素及び隣接画素間の濃度変化量を算出する。そして、濃度変化量が算出されると、メモリから基準変化量データを取得すると共に、算出された濃度変化量及び基準変化量を比較して、濃度変化量が基準変化量より大きいと、該選択画素を帳票境界領域と判定し、該選択画素の座標値を帳票および背景の境界を示す境界座標データとして取得する。一方、濃度変化量が基準変化量より小さいと、該選択画素を非帳票境界領域として判定し、該選択画素の境界座標データの取得は行わない。境界検出部５２１は、引き続き、隣接する画素について、同様の検出処理を行って、帳票および背景との境界すなわち帳票辺を追跡する。
【０２３３】
尚、選択画素を中心とした１００×１００画素等で区分される領域毎に濃度変化量を算出する構成としてもよい。
【０２３４】
境界検出部５２１は、検出処理を読取画像データの全画素に対して実行すると、単帳票と該単帳票に付された続紙との境界を検出すべく、引き続き、取得された各境界座標データに基づいて特定される各帳票辺の延長線上で交差する画素を帳票角領域として判定し、該交差画素の座標値を帳票角の座標を示す帳票角座標データとして取得する。
【０２３５】
そして、取得された各境界座標データ及び各帳票角座標データに基づいて区分される横長帳票の内側領域のうち、縦方向の幅が小さくなる領域を単帳票と続紙との境界と判定すると共に、該領域を座標で示すページ分割座標データを取得する。すなわち、単帳票（レセプト４０）に、その縦幅よりも狭い続紙が貼付けされた状態で取得された画像について、帳票部分の縦幅が狭くなった部分をレセプト４０と続紙の境界と判断し、その部分の座標を記憶する。
【０２３６】
さらに、境界検出部５２１は、連続して続紙が付されていた場合の続紙間の境界を検出すべく、取得されたページ分割座標データに基づいて区分される単帳票以外の領域すなわち続紙領域の各画素を参照し、縦方向に白画素が連続する領域を検出する。
【０２３７】
縦方向に白画素が連続する領域を検出すると、該領域を連続して付された続紙間の境界と判定すると共に、該領域を座標で示す続紙ページ分割座標データを取得し、引き続き、上記と同様に、連続して付された続紙間の境界検出処理を繰り返す。
【０２３８】
このとき、単帳票（レセプト４０）と続紙の横幅は通常同じであるので、該単帳票と続紙の境界から、単帳票の横幅（単帳票と続紙の境界までの横幅）分移動した部分について、上述した白画素の連続の検出を行うと効率がよい。また、続紙の端の部分には、ある程度の余白が設けられるので、白画素が縦方向に連続した領域がさらにある程度（例えば、長さに換算して２ｃｍ以上）横方向に連続したことをもって、白画素が連続したものと判断するのがよい。その場合、当該領域の中心を通る縦線を続紙同士の境界と判断する。
【０２３９】
このように、境界検出部５２１は、上述した検出処理を実行し、取得した各境界座標データ、各帳票角座標データ、ページ分割座標データ、続紙ページ分割座標データを図示しないメモリにそれぞれ保持する。
【０２４０】
取得範囲制定部５２２ｂは、読取画像データから全面画像データとして抽出すべき範囲を決定する部であり、例えば、２ｍｍ等のように、抽出される範囲に対して、拡張すべき横長帳票の横幅の長さを示す横幅拡張値データを図示しないメモリに保持している。
【０２４１】
取得範囲制定部５２２ｂは、境界検出部５２１が検出処理を完了すると、メモリから境界座標データ、帳票角座標データ、ページ分割座標データ、続紙ページ分割座標データ、横幅拡張値データを取得すると共に、取得した各データに基づいて、読取画像データから、全面画像データとして抽出すべき範囲を決定する。
【０２４２】
即ち、取得範囲制定部５２２ｂは、取得した各境界座標データ、各帳票角座標データ、ページ分割座標データ、続紙ページ分割座標データ及び横幅拡張値データに基づいて、図３５に示すように、読取画像データから、単帳票、続紙Ａ、続紙Ｂに区分したそれぞれの全面画像データを抽出するように範囲を決定すると共に、決定した抽出範囲を示す抽出範囲データを画像取得部５２３に転送する。
【０２４３】
ここで、本実施例では、区分される続紙Ａ、続紙Ｂの縦方向の長さは、単帳票と同一とし、区分される帳票の横方向の長さは、ページ分割座標データに対し、横幅拡張値データが示す長さが拡張された長さとし、続紙Ａの横方向の長さは、ページ分割座標データ及び続紙ページ分割座標データのそれぞれに対し、横幅拡張値データが示す長さが拡張された長さとし、続紙Ｂの横方向の長さは、続紙ページ分割座標データに対し、横幅拡張値データが示す長さが拡張された長さとする。すなわち、検出した境界よりも外側が含まれるように範囲を拡張した画像が切り出される。これによって、互いの画像には、重なり合う部分が含まれるが、それにより、画像を参照したときに、切り出した部分のつなぎ目を明確に確認することができるようになる。なお、各画像について範囲を拡張した部分の座標は後に参照可能に記憶される。
【０２４４】
画像取得部５２３は、読取画像データから全面画像データを取得する部であり、抽出範囲データを受けると、文字認識された保険者識別データに基づいて、メモリの全面画像設定テーブル８３を参照し、対応する全面取得要否データが「○」を示していると、抽出範囲データに基づいて、読取画像データを図３６に示すように、単帳票、続紙Ａ、続紙Ｂに区分した全面画像データをそれぞれ作成し、対応する全面取得要否データが「○」を示していないと、全面画像データを作成しない。
【０２４５】
制御ユニット１０は、全面画像作成部４０９ｂが全面画像データを作成しないと、ページ番号記憶部１９を参照し、ページ番号データを取得すると共に、ページ番号データと共に、取得された読取データ、作成された部分画像データをシステム制御部２ｂに転送し、以降、実施例１と同様に動作する。
【０２４６】
背景編集部５２４は、続紙Ａ、続紙Ｂの各全面画像データに含まれる背景等の不要領域を編集する部であり、画像取得部５２３が続紙Ａ、続紙Ｂの各全面画像データを作成すると、引き続き、各全面画像データの濃度を解析し、黒画素領域を白画素領域に変換処理すると共に、横幅拡張値データに基づいて拡張されている領域に対してスクリーン処理を行う（図３７参照）。このスクリーン処理には、例えば、従来技術と同様の半透明化処理、ドットパターン変換処理等が適用できる。
【０２４７】
マルチ頁変換部５２５は、作成された各全面画像データを合成する部であり、背景編集部５２４がスクリーン処理を完了すると、作成された単帳票、続紙Ａ、続紙Ｂの各全面画像データを合成して、ページ毎に参照可能な１ファイルの全面画像データを作成する。
【０２４８】
制御ユニット１０は、全面画像作成部４０９ｃが全面画像データを作成すると、ページ番号データと共に、読取データ、作成された部分画像データ、全面画像データをシステム制御部２ｂに転送し、以降、実施例２と同様に動作する。
【０２４９】
〈実施例３の動作〉
次に、実施例３の帳票分類処理システムの動作について説明を行う。
【０２５０】
実施例３では、帳票読取分類部１ｄの帳票外形検出部４０１ａ及び全面画像作成部４０９ｃのみが実施例２と異なるので、以下、帳票外形検出部４０１ａ、全面画像作成部４０９ｃのそれぞれの動作についてのみ説明を行う。
【０２５１】
まず、帳票外形検出部４０１ａの動作について説明を行う。
【０２５２】
帳票外形検出部４０１ａは、実施例１と同様に、読取画像データを受けると、まず、読取画像データを解析し、該読取画像データの全画素数を算出した読取画像量データを取得し、取得した読取画像量データ及び基準帳票画像量データを比較し、読取画像量データが基準帳票画像量データ以下であると、Ａ４サイズの帳票の読取画像データを受け付けたことを検知し、以降、実施例２と同様の検出処理を実行する。
【０２５３】
一方、読取画像量データが基準帳票画像量データより大きいと、帳票外形検出部４０１ａは、例えば、図３３に示すような、続紙Ａ、Ｂが人手等で付された横長帳票の読取画像データを受け付けたことを検知し、読取画像データを濃度判定部４０４に転送し、以降、部分画像データが作成されるまで、実施例２と同様に動作する。
【０２５４】
次に、全面画像作成部４０９ｃの動作について説明を行う。
【０２５５】
図３８は、全面画像作成部４０９ｃの動作フローチャートである。
【０２５６】
全面画像作成部４０９ｃの横長判定部５２０は、読取画像データを受けると、まず、読取画像データを解析し、該読取画像データの解像度等により算出した読取画像量データを取得し、取得した読取画像量データ及び基準帳票画像量データを比較し、読取画像量データが基準帳票画像量データ以下であると、横長帳票ではないと判定し、以降、実施例１と同様に動作する（Ｓ１０８）。一方、読取画像量データが基準帳票画像量データより大きいと、横長帳票と判定する（Ｓ１０１）。
【０２５７】
境界検出部５２１は、横長判定部５２０が横長帳票と判定すると、読取画像データを構成する複数の画素から濃度変化量の算出対象として１画素を選択し、選択画素の濃度値を取得する。次に、選択画素の上、下、左、右に隣接する隣接画素の濃度値をそれぞれ取得する。そして、取得した各画素の濃度値を、上記式（１）に適用し、選択画素及び隣接画素間の濃度変化量を算出する。そして、濃度変化量が算出されると、メモリから基準変化量データを取得すると共に、算出された濃度変化量及び基準変化量を比較して、濃度変化量が基準変化量より大きいと、該選択画素を罫線領域と判定し、該選択画素の座標値を帳票および背景の境界を示す境界座標データとして取得する。一方、濃度変化量が基準変化量より小さいと、該選択画素を非罫線領域として判定し、該選択画素の境界座標データの取得は行わない。境界検出部５２１は、引き続き、同様の検出処理を読取画像データの全画素に対して実行する。
【０２５８】
引き続き、境界検出部５２１は、検出処理を読取画像データの全画素に対して実行すると、単帳票と該単帳票に付された続紙との境界を検出すべく、取得された各境界座標データに基づいて特定される各帳票辺の延長線上で交差する画素を帳票角領域として判定し、該交差画素の座標値を帳票角の座標を示す帳票角座標データとして取得する。
【０２５９】
そして、取得された各境界座標データ及び各帳票角座標データに基づいて区分される横長帳票の内側領域のうち、縦方向の幅が小さくなる領域を単帳票と続紙との境界と判定すると共に、該領域を座標で示すページ分割座標データを取得する。
【０２６０】
さらに、境界検出部５２１は、連続して続紙が付されていた場合の続紙間の境界を検出すべく、取得されたページ分割座標データに基づいて区分される単帳票以外の領域の各画素を参照し、縦方向に白画素が連続する領域を検出しないと、境界検出部５２１は、連続して続紙が付されていないと判定し、境界検出処理を終了する（Ｓ１０２）。
【０２６１】
一方、縦方向に白画素が連続する領域を検出すると、該領域を連続して付された続紙間の境界と判定すると共に、該領域を座標で示す続紙ページ分割座標データを取得し、引き続き、上記と同様に、連続して付された続紙間の境界検出処理を繰り返す。
【０２６２】
このように、境界検出部５２１は、上述した検出処理を実行し、取得した各境界座標データ、各帳票角座標データ、ページ分割座標データ、続紙ページ分割座標データを図示しないメモリにそれぞれ保持する。
【０２６３】
取得範囲制定部５２２ｂは、境界検出部５２１が検出処理を完了すると、メモリから境界座標データ、帳票角座標データ、ページ分割座標データ、続紙ページ分割座標データ、横幅拡張値データを取得すると共に、取得した各データに基づいて、読取画像データから、全面画像データとして抽出すべき範囲を決定する（Ｓ１０３）。
【０２６４】
即ち、取得範囲制定部５２２ｂは、取得した各境界座標データ、各帳票角座標データ、ページ分割座標データ、続紙ページ分割座標データ及び横幅拡張値データに基づいて、図３５に示すように、読取画像データから、単帳票、続紙Ａ、続紙Ｂに区分したそれぞれの全面画像データを抽出するように範囲を決定すると共に、決定した抽出範囲を示す抽出範囲データを画像取得部５２３に転送する。
【０２６５】
ここで、本実施例では、区分される続紙Ａ、続紙Ｂの縦方向の長さは、単帳票と同一とし、区分される帳票の横方向の長さは、ページ分割座標データに対し、横幅拡張値データが示す長さが拡張された長さとし、続紙Ａの横方向の長さは、ページ分割座標データ及び続紙ページ分割座標データのそれぞれに対し、横幅拡張値データが示す長さが拡張された長さとし、続紙Ｂの横方向の長さは、続紙ページ分割座標データに対し、横幅拡張値データが示す長さが拡張された長さとする。
【０２６６】
画像取得部５２３は、抽出範囲データを受けると、文字認識された保険者識別データに基づいて、メモリの全面画像設定テーブル８３を参照し、対応する全面取得要否データが「○」を示していると、抽出範囲データに基づいて、読取画像データを図３６に示すように、単帳票、続紙Ａ、続紙Ｂに区分した全面画像データをそれぞれ作成し、対応する全面取得要否データが「○」を示していないと、全面画像データを作成しない（Ｓ１０４＆Ｓ１０５）。
【０２６７】
制御ユニット１０は、全面画像作成部４０９ｂが全面画像データを作成しないと、ページ番号記憶部１９を参照し、ページ番号データを取得すると共に、ページ番号データと共に、取得された読取データ、作成された部分画像データをシステム制御部２ｂに転送し、以降、実施例１と同様に動作する。
【０２６８】
背景編集部５２４は、画像取得部５２３が続紙Ａ、続紙Ｂの各全面画像データを作成すると、引き続き、各全面画像データの濃度を解析し、黒画素領域を白画素領域に変換処理すると共に、横幅拡張値データに基づいて拡張されている領域に対してスクリーン処理を行う（図３７参照）。このスクリーン処理には、例えば、従来技術と同様の半透明化処理、ドットパターン変換処理等が適用できる（Ｓ１０６）。
【０２６９】
マルチ頁変換部５２５は、作成された各全面画像データを合成する部であり、背景編集部５２４がスクリーン処理を完了すると、作成された単帳票、続紙Ａ、続紙Ｂの各全面画像データを合成して、ページ毎に参照可能な１ファイルの全面画像データを作成する（Ｓ１０７）。
【０２７０】
制御ユニット１０は、全面画像作成部４０９ｃが全面画像データを作成すると、ページ番号データと共に、読取データ、作成された部分画像データ、全面画像データをシステム制御部２ｂに転送し、以降、実施例２と同様に動作する。
【０２７１】
〈実施例３の効果〉
実施例３の帳票分類処理システムでは、従来のように紙による帳票を必要とする保険者には紙帳票を提供し、保管場所等に制約があって紙帳票を望まない保険者に対しては電子媒体レセプトを提供できる。紙帳票と電子媒体レセプトの両方とも希望する保険者にはその両方を提供できるサービスが実現される。帳票の具体例として、医療機関が健康保険組合等の保険者に対して請求発行する診療報酬明細書のレセプトに好適であり、月次大量に発生するレセプト処理業務において医療機関および納入先の双方にとって遅滞のない迅速な処理が可能になる。
【０２７２】
さらに、単帳票に続紙等が付与されたことによりレセプトの形状が横長である場合、横長の読取画像データから、レセプトと各続紙との境界をそれぞれ検出すると共に、検出された境界に基づいて横長の読取画像データを区分してレセプト及び各続紙それぞれの全面画像データを作成するようにしたので、審査時の全面画像の視認性を向上させることができる。また、各全面画像データの背景等の不要な領域を除去すると共に、各隣接領域をスクリーン処理するようにしたので、各全面画像データ間の境界を容易に識別することができ、また、印刷時には、背景等の不要な外側領域を除去した全面画像データに基づく印刷処理を実行できるので、背景等の不要な外側領域を含むことで不要なトナーが消費されるのを防止できる。さらに、各全面画像データを合成して、ページ毎に参照可能な１ファイルの全面画像データを作成するようにしたので、１ファイルにて各全面画像データが管理でき、データ管理における利便性を向上できる。
【産業上の利用可能性】
【０２７３】
上記実施例では、メモリに予め拡張値データが保持されていたが、これに限られることはなく、管理端末等により設定可能にすることができる構成としてもよい。
【図面の簡単な説明】
【０２７４】
【図１】本発明の帳票分類処理システムを示すブロック構成図
【図２】実施例１の分類化レセプト納入方法を示す模式図
【図３】従来の帳票分類処理システムを示すブロック構成図
【図４】従来の分類化レセプト納入方法を示す模式図
【図５】帳票読取分類部１ｂを示すブロック構成図
【図６】認識部２０を示すブロック構成図
【図７】システム制御部２ｂを示すブロック構成図
【図８】業務設定テーブル５１を示す例示図
【図９】ポケット設定テーブル８０を示す例示図
【図１０】読取設定テーブル８１を示す例示図
【図１１】部分画像設定テーブル８２を示す例示図
【図１２】全面画像設定テーブル８３を示す例示図
【図１３】サービス設定テーブル８４を示す例示図
【図１４】無効帳票ポケット設定テーブル８５を示す例示図
【図１５】レセプト分類の流れを示す説明図
【図１６】読取結果記憶部５３に格納された読取データ群を示す例示図
【図１７】部分画像記憶部５４に格納された部分画像データ群を示す例示図
【図１８】全面画像記憶部５５に格納された全面画像データ群を示す例示図
【図１９】合計額記憶部５６に格納された請求点合算データ群を示す例示図
【図２０】保険者Ｃに提供すべきリストを示す例示図
【図２１】保険者Ｃに提供すべき電子媒体レセプトを示す例示図
【図２２】実施例１の帳票分類処理システムの動作フローチャート
【図２３】帳票読取分類部１ｂの動作フローチャート
【図２４】実施例２の帳票分類処理システムを示すブロック構成図
【図２５】帳票読取分類部１ｃを示すブロック構成図
【図２６】認識部２０ａを示すブロック構成図
【図２７】部分画像作成部４０８ｂを示すブロック構成図
【図２８】全面画像作成部４０９ｂを示すブロック構成図
【図２９】部分画像作成部４０８ｂおよび全面画像作成部４０９ｂの動作フローチャート
【図３０】実施例３の帳票分類処理システムを示すブロック構成図
【図３１】帳票読取分類部１ｄを示すブロック構成図
【図３２】認識部２０ｂを示すブロック構成図
【図３３】横長帳票を示す例示図
【図３４】全面画像作成部４０９ｃを示すブロック構成図
【図３５】横長帳票を示す例示図（境界検出例）
【図３６】区分された全面画像データを示す例示図
【図３７】スクリーン処理後の全面画像データを示す例示図
【図３８】全面画像作成部４０９ｃの動作フローチャート
【図３９】帳票の外形検出例を示す例示図
【図４０】帳票の形状判定例を示す例示図
【図４１】拡張後の部分画像データを示す例示図
【図４２】背景を除去した全面画像データを示す例示図
【符号の説明】
【０２７５】
１  帳票読取分類部
１ｂ  帳票読取分類部
１ｃ  帳票読取分類部
１ｄ  帳票読取分類部
２  システム制御部
２ｂ  システム制御部
３  修正端末
４  プリンタ
５  電子媒体作成部
１０  制御ユニット
１１  ポケット制御部
１２  ポケット機構
１３  ナンバリング制御部
１４  ナンバリング機構
１５  搬送制御部
１６  搬送機構
１７  撮像制御部
１８  撮像機構
１９  ページ番号記憶部
２０  認識部
２０ａ  認識部
２０ｂ  認識部
２１  設定テーブル
４０  レセプト
４１  レセプト
４２  請求点合算データ
４３  レセプト
４４  請求点合算データ
４５  レセプト
４６  請求点合算データ
４７  電子媒体レセプト
５０  業務ＡＰ部
５１  業務設定テーブル
５２  プログラム部
５３  読取結果記憶部
５４  部分画像記憶部
５５  全面画像記憶部
５６  合計額記憶部
５７  電子媒体イメージ記憶部
７０  プリンタチャネル
７１  電子媒体チャネル
８０  ポケット設定テーブル
８１  読取設定テーブル
８２  部分画像設定テーブル
８３  全面画像設定テーブル
８４  サービス設定テーブル
８５  無効帳票ポケット設定テーブル
９０  電子媒体レセプト
４０１  帳票外形検出部
４０１ａ  帳票外形検出部
４０２  形状判定部
４０２ｂ  形状判定部
４０３  濃度分布測定部
４０４  濃度判定部
４０５  濃度補正部
４０６  補正画像記憶部
４０７  読取部
４０８  部分画像作成部
４０８ｂ  部分画像作成部
４０９  全面画像作成部
４０９ｂ  全面画像作成部
４０９ｃ  全面画像作成部
５１０  部分領域変換部
５１１  画像取得部
５１２  拡張領域編集部
５２０  横長判定部
５２１  境界検出部
５２２  取得範囲制定部
５２２ｂ  取得範囲制定部
５２３  画像取得部
５２４  背景編集部
５２５  マルチ頁変換部
【図１】
2007264833.tif 000003
【図２】
2007264833.tif 000004
【図３】
2007264833.tif 000005
【図４】
2007264833.tif 000006
【図５】
2007264833.tif 000007
【図６】
2007264833.tif 000008
【図７】
2007264833.tif 000009
【図８】
2007264833.tif 000010
【図９】
2007264833.tif 000011
【図１０】
2007264833.tif 000012
【図１１】
2007264833.tif 000013
【図１２】
2007264833.tif 000014
【図１３】
2007264833.tif 000015
【図１４】
2007264833.tif 000016
【図１５】
2007264833.tif 000017
【図１６】
2007264833.tif 000018
【図１７】
2007264833.tif 000019
【図１８】
2007264833.tif 000020
【図１９】
2007264833.tif 000021
【図２０】
2007264833.tif 000022
【図２１】
2007264833.tif 000023
【図２２】
2007264833.tif 000024
【図２３】
2007264833.tif 000025
【図２４】
2007264833.tif 000026
【図２５】
2007264833.tif 000027
【図２６】
2007264833.tif 000028
【図２７】
2007264833.tif 000029
【図２８】
2007264833.tif 000030
【図２９】
2007264833.tif 000031
【図３０】
2007264833.tif 000032
【図３１】
2007264833.tif 000033
【図３２】
2007264833.tif 000034
【図３３】
2007264833.tif 000035
【図３４】
2007264833.tif 000036
【図３５】
2007264833.tif 000037
【図３６】
2007264833.tif 000038
【図３７】
2007264833.tif 000039
【図３８】
2007264833.tif 000040
【図３９】
2007264833.tif 000041
【図４０】
2007264833.tif 000042
【図４１】
2007264833.tif 000043
【図４２】
2007264833.tif 000044